(57)【要約】  端末装置は、上位層の信号を受信する受信部と、制御リソースセットにおいてＰＤＣＣＨの復号を試みる復号部と、を備え、時間領域において、前記ＰＤＣＣＨの物理的特徴の粒度（Ｇｒａｎｕｌａｒｉｔｙ）は、Xシンボルであるとみなし、前記Xの値は、前記上位層の信号によって与えられ、前記上位層の信号は前記制御リソースセットのＯＦＤＭシンボルの数を示す情報を含む。
2018124178.tif 000002
【特許請求の範囲】
【請求項１】
上位層の信号を受信する受信部と、
制御リソースセットにおいてＰＤＣＣＨの復号を試みる復号部と、を備え、
時間領域において、前記ＰＤＣＣＨの物理的特徴の粒度（Ｇｒａｎｕｌａｒｉｔｙ）は、Xシンボルであるとみなし、
前記Xの値は、前記上位層の信号によって与えられ、
前記上位層の信号は前記制御リソースセットのＯＦＤＭシンボルの数を示す情報を含む
端末装置。
【請求項２】
前記ＰＤＣＣＨのマッピングが分散的であるか連続的であるかは、前記制御リソースセットごとに設定される
請求項１に記載の端末装置。
【請求項３】
制御リソースセットにおいてＰＤＣＣＨを送信する送信部を備え、
前記ＰＤＣＣＨの物理的特徴の粒度（Ｇｒａｎｕｌａｒｉｔｙ）は、Xシンボルであり、
前記Xの値は、上位層の信号に含まれ、
前記上位層の信号は前記制御リソースセットのＯＦＤＭシンボルの数を示す情報を含む
基地局装置。
【請求項４】
前記ＰＤＣＣＨのマッピングが分散的であるか連続的であるかは、前記制御リソースセットごとに設定される
請求項３に記載の基地局装置。
【請求項５】
端末装置に用いられる通信方法であって、
上位層の信号を受信するステップと、
制御リソースセットにおいてＰＤＣＣＨの復号を試みるステップと、を備え、
時間領域において、前記ＰＤＣＣＨの物理的特徴の粒度（Ｇｒａｎｕｌａｒｉｔｙ）は、Xシンボルであるとみなし、
前記Xの値は、前記上位層の信号によって与えられ、
前記上位層の信号は前記制御リソースセットのＯＦＤＭシンボルの数を示す情報を含む
通信方法。
【請求項６】
基地局装置に用いられる通信方法であって、
制御リソースセットにおいてＰＤＣＣＨを送信する送信部を備え、
前記ＰＤＣＣＨの物理的特徴の粒度（Ｇｒａｎｕｌａｒｉｔｙ）は、Xシンボルであり、
前記Xの値は、上位層の信号に含まれ、
前記上位層の信号は前記制御リソースセットのＯＦＤＭシンボルの数を示す情報を含む
通信方法。
【発明の詳細な説明】
【技術分野】
【０００１】
本発明は、端末装置、基地局装置、および、通信方法に関する。
本願は、２０１６年１２月２７日に日本に出願された特願２０１６−２５２８０５号について優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access: EUTRA」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、基地局装置がカバーするエリアをセル状に複数配置するセルラー通信システムである。単一の基地局装置は複数のセルを管理してもよい。【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われている（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満たすことが求められている。
【先行技術文献】
【非特許文献】
【０００４】
【非特許文献１】"New SID proposal: Study on New Radio Access Technology", RP-160671, NTT docomo, 3GPP TSG RAN Meeting#71, Goteborg, Sweden, 7th - 10th March, 2016.
【発明の概要】
【発明が解決しようとする課題】
【０００５】
本発明の一態様は、効率的に下りリンク受信を行うことができる端末装置、該端末装置に用いられる通信方法、効率的に下りリンク送信を行うことができる基地局装置、および、該基地局装置に用いられる通信方法を提供する。
【課題を解決するための手段】
【０００６】
（１）本発明の第１の態様は、端末装置であって、上位層の信号を受信する受信部と、制御リソースセットにおいてＰＤＣＣＨの復号を試みる復号部と、を備え、時間領域において、前記ＰＤＣＣＨの物理的特徴の粒度（Ｇｒａｎｕｌａｒｉｔｙ）は、Xシンボルであるとみなし、前記Xの値は、前記上位層の信号によって与えられ、前記上位層の信号は前記制御リソースセットのＯＦＤＭシンボルの数を示す情報を含む。【０００７】
（２）本発明の第２の態様は、端末装置であって、前記ＰＤＣＣＨのマッピングが分散的であるか連続的であるかは、前記制御リソースセットごとに設定される。【０００８】
（３）本発明の第３の態様は、基地局装置であって、制御リソースセットにおいてＰＤＣＣＨを送信する送信部を備え、前記ＰＤＣＣＨの物理的特徴の粒度（Ｇｒａｎｕｌａｒｉｔｙ）は、Xシンボルであり、前記Xの値は、上位層の信号に含まれ、前記上位層の信号は前記制御リソースセットのＯＦＤＭシンボルの数を示す情報を含む。【０００９】
（４）本発明の第４の態様は、基地局装置であって、前記ＰＤＣＣＨのマッピングが分散的であるか連続的であるかは、前記制御リソースセットごとに設定される。【００１０】
（５）本発明の第５の態様は、端末装置の通信方法であって、上位層の信号を受信するステップと、  制御リソースセットにおいてＰＤＣＣＨの復号を試みるステップと、を備え、  時間領域において、前記ＰＤＣＣＨの物理的特徴の粒度（Ｇｒａｎｕｌａｒｉｔｙ）は、Xシンボルであるとみなし、前記Xの値は、前記上位層の信号によって与えられ、前記上位層の信号は前記制御リソースセットのＯＦＤＭシンボルの数を示す情報を含む。【００１１】
（６）本発明の第７の態様は、基地局装置の通信方法であって、制御リソースセットにおいてＰＤＣＣＨを送信する送信部を備え、前記ＰＤＣＣＨの物理的特徴の粒度（Ｇｒａｎｕｌａｒｉｔｙ）は、Xシンボルであり、前記Xの値は、上位層の信号に含まれ、前記上位層の信号は前記制御リソースセットのＯＦＤＭシンボルの数を示す情報を含む。
【発明の効果】
【００１２】
この発明の一態様によれば、端末装置は効率的に下りリンク受信を行うことができる。また、基地局装置は効率的に下りリンク送信を行うことができる。
【図面の簡単な説明】
【００１３】
【図１】本実施形態の一態様に係る無線通信システムの概念図である。
【図２】本実施形態の一態様に係る無線フレーム、サブフレーム、および、スロットの構成を示す一例である。
【図３】本実施形態の一態様に係るスロットとミニスロットの構成例を示す図である。
【図４】本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【図５】本実施形態の一態様に係る第２の初期接続手順（２−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【図６】本実施形態の一態様に係るスロットに含まれるリソースエレメントの一例を示した図である。
【図７】本実施形態の一態様に係る制御リソースセットのマッピングの一例を示した図である。
【図８】本発明の一態様における符号化部１０７１の構成を示す概略ブロック図である。
【図９】本実施形態の一態様に係るＲＥＧの構成の一例を示す図である。
【図１０】本実施形態の一態様に係る参照信号と制御チャネルの対応関係の一例を示す図である。
【図１１】本実施形態の一態様に係る制御チャネルが局地的にマップされる場合の参照信号と制御チャネルの対応関係の一例を示した図である。
【図１２】本実施形態の一態様に係る制御チャネルが分散的にマップされる場合の参照信号と制御チャネルの対応関係の一例を示した図である。
【図１３】本実施形態の一態様に係る１つの制御チャネルに含まれるＣＣＥが局地的にマップされる場合の、制御チャネルと参照信号の対応関係の一例を示す図である。
【図１４】本実施形態の一態様に係る１つの制御チャネルに含まれるＣＣＥが分散的にマップされる場合の、制御チャネルと参照信号の対応関係の一例を示す図である。
【図１５】本実施形態の一態様に係る第１の参照信号を含む所定の範囲の一例を示す図である。
【図１６】本実施形態の一態様に係る端末装置１の構成例を示す概略ブロック図である。
【図１７】本実施形態の一態様に係る基地局装置３の構成例を示す概略ブロック図である。
【発明を実施するための形態】
【００１４】
以下、本発明の実施形態について説明する。
【００１５】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１６】
以下、端末装置１、および、基地局装置３の間の通信に関する種々の無線パラメータについて説明する。ここで、少なくとも一部の無線パラメータ（例えば、サブキャリア間隔（ＳＣＳ：Ｓｕｂｃａｒｒｉｅｒ  Ｓｐａｃｉｎｇ））は、Ｎｕｍｅｒｏｌｏｇｙとも呼称される。無線パラメータは、サブキャリア間隔、ＯＦＤＭシンボルの長さ、サブフレームの長さ、スロットの長さ、および、ミニスロットの長さの少なくとも一部を含む。
【００１７】
サブキャリア間隔は、参照サブキャリア間隔（Ｒｅｆｅｒｅｎｃｅ  ＳＣＳ、Ｒｅｆｅｒｅｎｃｅ  Ｎｕｍｅｒｏｌｏｇｙ）、および、実際の無線通信に使用される通信方式のためのサブキャリア間隔（Ａｃｔｕａｌ  ＳＣＳ、Ａｃｔｕａｌ  Ｎｕｍｅｒｏｌｏｇｙ）の２つに分類されてもよい。参照サブキャリア間隔は、無線パラメータの少なくとも一部を決定するために用いられてもよい。例えば、参照サブキャリア間隔は、サブフレームの長さを設定するために用いられる。参照サブキャリア間隔に基づくサブフレームの長さの決定方法は後述される。ここで、参照サブキャリア間隔は、例えば、１５ｋＨｚである。
【００１８】
実際の無線通信に使用されるサブキャリア間隔は、端末装置１と基地局装置３の間の無通信に使用される通信方式（例えば、ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ：Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ、ＤＦＴ−ｓ−ＯＦＤＭ：Ｄｉｓｃｒｅｔｅ  Ｆｏｕｒｉｅｒ  Ｔｒａｎｓｆｏｒｍ  −  ｓｐｒｅａｄ  −  ＯＦＤＭ）のための無線パラメータの１つである。以下では、参照サブキャリア間隔を第１のサブキャリア間隔とも呼称する。また、実際の無線通信に使用されるサブキャリア間隔を第２のサブキャリア間隔とも呼称する。
【００１９】
図２は、本実施形態の一態様に係る無線フレーム、サブフレーム、および、スロットの構成を示す一例である。図２に示す一例では、スロットの長さは０．５ｍｓであり、サブフレームの長さは１ｍｓであり、無線フレームの長さは１０ｍｓである。スロットは、時間領域におけるリソース割り当ての単位であってもよい。例えば、スロットは、１つのトランスポートブロックがマップされる単位であってもよい。例えば、トランスポートブロックは、１つのスロットにマップされてもよい。ここで、トランスポートブロックは、上位層（例えば、ＭＡＣ：Ｍｅｄｉａｍ  Ａｃｃｅｓｓ  Ｃｏｎｔｒｏｌ）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。また、トランスポートブロックは、データブロック、トランスポートデータ、送信データ、送信符号、送信ブロック、ペイロード、情報、情報ブロック、符号化データ、下りリンクデータ、上りリンクデータであってもよい。
【００２０】
例えば、スロットの長さは、ＯＦＤＭシンボルの数によって与えられてもよい。例えば、ＯＦＤＭシンボルの数は、７、または、１４であってもよい。スロットの長さは、少なくともＯＦＤＭシンボルの長さに基づき与えられてもよい。ＯＦＤＭシンボルの長さは、第２のサブキャリア間隔に少なくとも基づき異なってもよい。また、ＯＦＤＭシンボルの長さは、ＯＦＤＭシンボルの生成に用いられる高速フーリエ変換（ＦＦＴ：Ｆａｓｔ  Ｆｏｕｒｉｅｒ  Ｔｒａｎｓｆｏｒｍ）のポイント数に少なくとも基づき与えられてもよい。また、ＯＦＤＭシンボルの長さは、該ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルと呼称されてもよい。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。ここで、例えば、スロットの長さは、０．２５ｍｓ、０．５ｍｓ、１ｍｓ、２ｍｓ、３ｍｓであってもよい。
【００２１】
ここで、ＯＦＤＭは、波形整形（Ｐｕｌｓｅ  Ｓｈａｐｅ）、ＰＡＰＲ低減、帯域外輻射低減、または、フィルタリング、および／または、位相処理（例えば、位相回転等）が適用されたマルチキャリアの通信方式を含む。ここで、マルチキャリアの通信方式は、例えば、ＯＦＤＭである。また、マルチキャリアの通信方式は、複数のサブキャリアが多重された信号を生成／送信する通信方式であってもよい。
【００２２】
サブフレームの長さは、１ｍｓであってもよい。また、サブフレームの長さは、第１のサブキャリア間隔に基づき与えられてもよい。例えば、第１のサブキャリア間隔が１５ｋＨｚである場合、サブフレームの長さは１ｍｓであってもよい。サブフレームは、１、または、複数のスロットを含んでもよい。
【００２３】
無線フレームは、サブフレームの数によって与えられてもよい。無線フレームのためのサブフレームの数は、例えば、１０であってもよい。
【００２４】
図３は、本実施形態の一態様に係るスロットとミニスロットの構成例を示す図である。図３において、スロットを構成するＯＦＤＭシンボルの数は７である。ミニスロットは、スロットを構成するＯＦＤＭシンボルの数よりも小さいＯＦＤＭシンボルの数により構成されてもよい。また、ミニスロットは、スロットよりも短い長さであってもよい。図３は、ミニスロットの構成の一例として、ミニスロット＃０からミニスロット＃５を示している。ミニスロットは、ミニスロット＃０に示されるように、１つのＯＦＤＭシンボルにより構成されてもよい。また、ミニスロットは、ミニスロット＃１から＃３に示されるように２つのＯＦＤＭシンボルにより構成されてもよい。また、ミニスロット＃１とミニスロット＃２によって示されるように、２つのミニスロットの間にギャップが挿入されてもよい。また、ミニスロットは、ミニスロット＃５に示されるように、スロット＃０とスロット＃１の境界をまたいで構成されてもよい。つまり、ミニスロットはスロットの境界をまたいで構成されてもよい。ここで、ミニスロットは、サブスロットとも呼称される。また、ミニスロットは、ｓＴＴＩ（ｓｈｏｒｔ  ＴＴＩ：Ｔｒａｎｓｍｉｓｓｉｏｎ  Ｔｉｍｅ  Ｉｎｔｅｒｖａｌ）とも呼称される。また、以下では、スロットは、ミニスロットに読み替えられてもよい。ミニスロットは、スロットと同じＯＦＤＭシンボルの数により構成されてもよい。ミニスロットは、スロットを構成するＯＦＤＭシンボルの数よりも多いＯＦＤＭの数により構成されてもよい。ミニスロットの時間領域の長さは、スロットより短くてもよい。ミニスロットの時間領域の長さは、サブフレームより短くてもよい。
【００２５】
以下、本実施形態に係る初期接続の手順の一例を説明する。
【００２６】
基地局装置３は、基地局装置３によって制御される通信可能範囲（または、通信エリア）を備える。通信可能範囲は、１、または、複数のセル（または、サービングセル、サブセル、ビーム等）に分割し、セルごとに端末装置１との通信を管理することができる。一方、端末装置１は、複数のセルの中から少なくとも１つのセルを選択し、基地局装置３と接続確立を試みる。ここで、端末装置１と基地局装置３の少なくとも１つのセルとの接続が確立された第１の状態は、ＲＲＣ接続（ＲＲＣ  Ｃｏｎｎｅｃｔｉｏｎ）とも呼称される。ここで、ＲＲＣはＲａｄｉｏ  Ｒｅｓｏｕｒｃｅ  Ｃｏｎｔｒｏｌである。また、端末装置１が基地局装置３のどのセルとの接続も確立されていない第２の状態は、ＲＲＣアイドルとも呼称される。また、端末装置１と基地局装置３の少なくとも１つのセルとの接続が確立されているが、端末装置１と基地局装置３の間で一部の機能が制限される第３の状態は、ＲＲＣ中断（ＲＲＣ  ｓｕｓｐｅｎｄｅｄ）とも呼称される。ＲＲＣ中断は、ＲＲＣ不活性（ＲＲＣ  ｉｎａｃｔｉｖｅ）とも呼称される。
【００２７】
ＲＲＣアイドルの端末装置１は、基地局装置３の少なくとも１つのセル（例えば、ターゲットセル）との接続確立を試みてもよい。図４は、本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。第１の初期接続手順は、ステップ５１０１〜５１０４の一部を少なくとも含んで構成される。
【００２８】
ステップ５１０１は、端末装置１がターゲットセルに物理チャネルを介して、初期接続のための応答を要求するステップである。または、ステップ５１０１は、端末装置１がターゲットセルに物理チャネルを介して最初の送信を行うステップである。ここで、該物理チャネルは、例えば、ＰＲＡＣＨ（Ｐｈｙｓｉｃａｌ  Ｒａｎｄｏｍ  Ａｃｃｅｓｓ  Ｃｈａｎｎｅｌ）であってもよい。該物理チャネルは、初期接続のための応答を要求するために専用的に用いられるチャネルであってもよい。また、該物理チャネルは、ランダムアクセスチャネルとも呼称される。ここで、物理チャネル（または、チャネル）を介して情報が送信される動作は、物理チャネル（または、チャネル）が送信される、とも呼称される。
【００２９】
端末装置１は、ステップ５１０１を実施する前に、ランダムアクセスチャネルの送信方法に関連する情報を取得する。例えば、ランダムアクセスチャネルの送信方法に関連する情報は、ターゲットセルとの同期、ランダムアクセスチャネルの送信タイミング、ランダムアクセスチャネルの構成、ランダムアクセスチャネルを介して送信されるビット系列の構成等であってもよい。例えば、端末装置１は、ターゲットセルの下りリンクと同期をとるために、基地局装置３より送信される同期信号（ＳＳ：Ｓｙｎｃｒｏｎｉｚａｔｉｏｎ  Ｓｉｇｎａｌ）を受信してもよい。同期は、時間領域の同期と周波数領域の同期のいずれか一方を少なくとも含む。
【００３０】
同期信号は、ＰＳＳ（Ｐｒｉｍａｒｙ  Ｓｙｎｃｈｒｏｎｉｚａｔｉｏｎ  Ｓｉｇｎａｌ）、および／または、ＳＳＳ（Ｓｅｃｏｎｄ  Ｓｙｎｃｈｒｏｎｉｚａｔｉｏｎ  Ｓｉｇｎａｌ）を含んでもよい。
【００３１】
同期信号は、ターゲットセルのＩＤ（セルＩＤ）を含んで送信されてもよい。または、同期信号は、セルＩＤに少なくとも基づき生成される系列を含んで送信されてもよい。また、同期信号は、ビーム（または、プレコーダ）が適用され、送信されてもよい。ここで、同期信号は、該同期信号に適用されるビームのインデックス（ビームインデックス）を含んで送信されてもよい。また、同期信号は、該同期信号に適用されるビームのインデックスに少なくとも基づき生成される系列を含んで送信されてもよい。ここで、ビームのインデックスは、単にインデックスであってもよく、該インデックスはビームと関連していなくてもよい。例えば、該インデックスは、同期信号が送信される時間、および／または、周波数のインデックスと関連してもよい。例えば、該インデックスは、同期信号が送信されるＯＦＤＭシンボルのインデックスであってもよい。また、該インデックスは、同期信号が送信されるスロットのインデックスであってもよい。また、該インデックスは、同期信号が送信されるサブフレームのインデックスであってもよい。また、該インデックスは、同期信号のためのインデックスであってもよい。例えば、同期信号は、所定の期間（例えば、スロット、または、サブフレーム等）の中で複数回送信されてもよい。該インデックスは、該所定の期間において送信される同期信号を識別するために用いられてもよい。該インデックスは、該所定の期間において送信される同期信号のためのインデックスであってもよい。
【００３２】
ビームは、方向に応じてアンテナ利得が異なる現象を示す。ビームは、アンテナの指向性に少なくとも基づき与えられてもよい。また、ビームは、搬送波信号の位相変換に少なくとも基づき与えられてもよい。また、ビームは、プレコーダが適用されることにより与えられてもよい。プレコーダについては、後述される。
【００３３】
端末装置１は、ターゲットセルより送信される報知チャネル（例えば、ＰＢＣＨ：Ｐｈｙｓｉｃａｌ  Ｂｒｏａｄｃａｓｔ  Ｃｈａｎｎｅｌ）を受信してもよい。報知チャネルは、端末装置１が必要とする重要なシステム情報を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を含んで送信されてもよい。ここで、重要情報ブロックは、システム情報の一部であってもよい。重要情報ブロックは、無線フレームの番号を含んでもよい。また、重要情報ブロックは、複数の無線フレームで構成されるスーパーフレーム内における位置に関する情報（例えば、スーパーフレーム内におけるシステムフレーム番号（ＳＦＮ：Ｓｙｓｔｅｍ  Ｆｒａｍｅ  Ｎｕｍｂｅｒ）の少なくとも一部を示す情報）を含んでもよい。また、報知チャネルは、ビームインデックスを含んでもよい。報知チャネルは、ランダムアクセスチャネルの送信方法に関連する情報の少なくとも一部を含んでもよい。
【００３４】
ＭＩＢは、上位層のチャネル（ｌｏｇｉｃａｌ  ｃｈａｎｎｅｌ）において、ＢＣＣＨ（Ｂｒｏａｄｃａｓｔ  Ｃｏｎｔｒｏｌ  Ｃｈａｎｎｅｌ）にマップされる。ＭＩＢは、物理層のチャネル（Ｐｈｉｓｉｃａｌ  ｃｈａｎｎｅｌ）において、報知チャネルにマップされる。
【００３５】
ここで、上位層のチャネルは、送信される情報の種類（ｔｙｐｅ）によって定義される。例えば、ＢＣＣＨは、報知システム制御情報（Ｂｒｏａｄｃａｓｔｉｎｇ  ｓｙｓｔｅｍ  ｃｏｎｔｒｏｌ  ｉｎｆｏｒｍａｔｉｏｎ）を送信するために用いられる上位層のチャネルである。ここで、報知システム制御情報は、例えば、ＭＩＢである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００３６】
ここで、物理層のチャネルは、報知チャネル、ランダムアクセスチャネル、制御チャネル、共有チャネルの一部、または、全部を少なくともを含む。
【００３７】
端末装置１は、少なくとも報知チャネルに含まれる情報に基づき、システム情報の少なくとも一部を受信してもよい。システム情報は、第１の初期接続のための制御チャネルに含まれる下りリンクグラントによって指示される共有チャネルに、システム情報の少なくとも一部が含まれてもよい。
【００３８】
システム情報は、端末装置１がセルにアクセスするための情報を少なくとも含んでもよい。また、システム情報は、複数の端末装置１に対して共通である無線リソース設定情報を少なくとも含んでもよい。ここで、無線リソース設定情報は、下りリンクのための無線リソースの設定に関する情報であってもよい。また、無線リソース設定情報は、上りリンクのための無線リソース設定情報であってもよい。ここで、上りリンクのための無線リソース設定情報は、ランダムアクセスチャネルの送信方法に関連する情報の少なくとも一部を含んでもよい。また、上りリンクのための無線リソース設定情報は、ランダムアクセスチャネルのリソース設定のための情報を含んでもよい。また、システム情報は、少なくとも一部のシステム情報のリソース割り当て情報を少なくとも含んでもよい。
【００３９】
システム情報のリソース割り当ては、システム情報の少なくとも一部を含むブロック（ＳＩＢ：Ｓｙｓｔｅｍ  Ｉｎｆｏｒｍａｔｉｏｎ  Ｂｌｏｃｋ）ごとに設定されてもよい。基地局装置３は、ＳＩＢを１つのセルにおいて報知してもよいし、端末装置１に個別に送信されてもよい。
【００４０】
ＳＩＢ１（Ｓｙｓｔｅｍ  Ｉｎｆｏｒｍａｔｉｏｎ  Ｂｌｏｃｋ  Ｔｙｐｅ  １）は、端末装置１がセルにアクセスするための情報（例えば、ｐｌｍｎＩｄｅｎｔｉｔｙＬｉｓｔ）を少なくとも含む。ＳＩＢ１は、第１の初期接続のための制御チャネルに含まれる下りリンクグラントによって指示される共有チャネルで送信される。
【００４１】
一方、ＳＩＢ１は、ＢＣＣＨにマップされる。ＳＩＢ１は、１つのセルにおいて報知される情報である。
【００４２】
ＳＩＢ２（Ｓｙｓｔｅｍ  Ｉｎｆｏｒｍａｔｉｏｎ  Ｂｌｏｃｋ  Ｔｙｐｅ  ２）は、物理層のパラメータを少なくとも含む。ここで、物理層のパラメータは、例えば、ランダムアクセスチャネルの送信方法に関連する情報である。ＳＩＢ２は、初期接続のための制御チャネルに含まれる下りリンクグラントによって指示される共有チャネルで送信される。
【００４３】
一方、ＳＩＢ２は、ＢＣＣＨにマップされる。ＳＩＢ２は、１つのセルにおいて報知される情報である。
【００４４】
ステップ５１０２は、端末装置１が所定の物理チャネルを少なくとも所定の期間においてモニタする動作を含んでもよい。例えば、所定の物理チャネルは、制御チャネル（Ｃｏｎｔｒｏｌ  Ｃｈａｎｎｅｌ）であってもよい。制御チャネルは、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ）であってもよい。制御チャネルは、例えば、下りリンク制御情報（ＤＣＩ：Ｄｏｗｎｌｉｎｋ  Ｃｏｎｔｒｏｌ  Ｉｎｆｏｒｍａｔｉｏｎ）の少なくとも一部を含んで送信されてもよい。ここで、下りリンク制御情報は、下りリンクのリソース割り当て情報を含んでもよい。下りリンクのリソース割り当て情報は、下りリンクグラント（ＤＬ  Ｇｒａｎｔ：Ｄｏｗｎｌｉｎｋ  Ｇｒａｎｔ）とも呼称される。また、下りリンク制御情報は、上りリンクのリソース割り当て情報を含んでもよい。上りリンクリソース割り当て情報は、上りリンクグラント（ＵＬ  Ｇｒａｎｔ：Ｕｐｌｉｎｋ  Ｇｒａｎｔ）とも呼称される。また、下りリンク制御情報は、端末装置１を含む端末装置のグループのために用いられる情報を含んでもよい。また、下りリンク制御情報は、所定のセルにおいて報知される情報を含んでもよい。下りリンク制御情報は、少なくとも、制御チャネルがマップされうる領域（制御リソースセット（Ｃｏｎｔｒｏｌ  ｒｅｓｏｕｒｃｅ  ｓｅｔ）、制御チャネル領域（Ｃｏｎｔｒｏｌ  Ｃｈａｎｎｅｌ  Ｒｅｇｉｏｎ、Ｃｏｎｔｒｏｌ  Ｒｅｇｉｏｎ））を指示する情報を含んでもよい。ここで、制御チャネルがマップされうる領域を指示する情報は、制御チャネルがマップされうる領域に含まれるＯＦＤＭシンボルの数であってもよい。つまり、制御チャネルがマップされうる領域を指示する情報は、時間領域に関する情報が含まれてもよい。制御リソースセットは、チャネルセットとも呼称される。制御チャネルの構成、および、制御チャネルの詳細は後述される。端末装置１は、制御チャネルがマップされうる領域を指示する情報が与えられることによって、制御チャネルをモニタすることができる。
【００４５】
ここで、制御チャネルがマップされうる領域を指示する情報は、ＢＣＣＨにマップされてもよい。また、制御チャネルがマップされうる領域を指示する情報は、ＣＣＣＨにマップされてもよい。また、制御チャネルがマップされうる領域を指示する情報は、ＤＣＣＨにマップされてもよい。
【００４６】
例えば、ステップ５１０２において、所定の下りリンク制御情報を含む制御チャネルを受信してもよい。該所定の下りリンク制御情報は、例えば、上りリンクグラントを含んでもよい。また、該所定の下りリンク制御情報は、下りリンクグラントを含んでもよい。下りリンクグラントは、共有チャネル（または、データチャネル）のリソース割り当て情報であってもよい。ここで、共有チャネルは、物理共有チャネル（ＰＳＣＨ：Ｐｈｙｓｉｃａｌ  Ｓｈａｒｅｄ  Ｃｈａｎｎｅｌ）とも呼称される。ここで、共有チャネルは、物理下りリンク共有チャネル（Ｐｈｙｓｉｃａｌ  Ｄｏｗｎｌｉｎｋ  Ｓｈａｒｅｄ  Ｃｈａｎｎｅｌ）、物理上りリンク共有チャネル（Ｐｈｙｓｉｃａｌ  Ｕｐｌｉｎｋ  Ｓｈａｒｅｄ  Ｃｈａｎｎｅｌ）の少なくとも一方を含んでもよい。物理下りリンク共有チャネルは、下りリンク共有チャネルであってもよい。物理上りリンク共有チャネルは、上りリンク共有チャネルであってもよい。
【００４７】
ステップ５１０２において下りリンクグラントを含む制御チャネルを受信した場合、該下りリンクグラントにより指示される共有チャネルは、上りリンクグラントを含んでもよい。該上りリンクグラントは、ランダムアクセスレスポンスグラントとも呼称される。該上りリンクグラントは、ステップ５１０３において端末装置１より送信される第１のメッセージを含む共有チャネルのためのリソース割り当て情報であってもよい。一方、上りリンクグラントは、物理上りリンク共有チャネルのリソース割り当て情報を含んでもよい。
【００４８】
ここで、端末装置１がステップ５１０２においてモニタする制御チャネルは、第１の初期接続のための制御チャネルとも呼称される。第１の初期接続のための制御チャネルは、第１の初期接続のために用いられる系列（例えば、ＲＮＴＩ：Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ：Ｒａｎｄｏｍ  Ａｃｃｅｓｓ  −  ＲＮＴＩ）によりマスクされたＣＲＣ系列を含んでもよい。つまり、端末装置１は、第１の初期接続のための制御チャネルのモニタにおいて、ＲＡ−ＲＮＴＩを用いてもよい。
【００４９】
第１の初期接続手順のための制御チャネルは、セル内の端末装置１において共通な制御チャネルであってもよい。または、第１の初期接続手順のための制御チャネルは、端末装置１のグループに共通な制御チャネルであってもよい。例えば、ＢＣＣＨまたはＣＣＣＨにマップされた、制御チャネルがマップされうる領域を指示する情報が、セル内の端末装置、および／または、端末装置１のグループに共通な制御チャネルがマップされうる領域を示してもよい。また、第１の初期接続手順のための制御チャネル以外の制御チャネルの少なくとも一部は、端末装置１に固有な制御チャネルであってもよい。例えば、ＤＣＣＨにマップされた、制御チャネルがマップされうる領域を指示する情報が、第１の初期接続手順のための制御チャネル以外の制御チャネルの少なくとも一部がマップされうる領域を示してもよい。
【００５０】
ステップ５１０３は、端末装置１がターゲットセルへの接続をリクエストするために用いられる第１のメッセージを含む物理上りリンク共有チャネルを送信する動作を含んでもよい。第１のメッセージは、第１の初期接続手順において、端末装置１がターゲットセルへの接続をリクエストするために用いられてもよい。
【００５１】
ステップ５１０４は、第１のメッセージに対する応答である第２のメッセージをモニタする（または、受信を期待する）動作を含んでもよい。第２のメッセージは、基地局装置３によって第１のメッセージが適切に受信されたことを示すメッセージであってもよい。第２のメッセージは、第１の初期接続手順において、他の端末装置との衝突（Ｃｏｎｔｅｎｔｉｏｎ）が発生しなかったことを示すメッセージであってもよい。第２のメッセージは、衝突の解決（Ｃｏｎｔｅｎｔｉｏｎ  ｒｅｓｏｌｕｔｉｏｎ）のために送信されてもよい。第２のメッセージは、ｃｏｎｔｅｎｔｉｏｎ  ｒｅｓｏｌｕｔｉｏｎメッセージとも呼称される。第２のメッセージは、端末装置固有のＩＤを含んでもよい。該ＩＤは、例えば、Ｓ−ＴＭＳＩ（ＳＡＥ（Ｓｙｓｔｅｍ  Ａｒｃｈｉｔｅｃｔｕｒｅ  Ｅｖｏｌｕｔｉｏｎ）  −Ｔｅｍｐｏｒａｒｙ  Ｍｏｂｉｌｅ  Ｓｕｂｓｃｒｉｂｅｒ  Ｉｄｅｎｔｉｔｙ）であってもよい。
【００５２】
図５は、本実施形態の一態様に係る第２の初期接続手順（２−ｓｔｅｐ  ｃｏｎｔｅｎｔｉｏｎ  ｂａｓｅｄ  ＲＡＣＨ  ｐｒｏｃｅｄｕｒｅ）の一例を示す図である。第２の初期接続手順は、ステップ５２０１とステップ５２０２の少なくとも一部を含んで構成されてもよい。
【００５３】
ステップ５２０１は、ランダムアクセスチャネル、および／または、上りリンク共有チャネルを送信するステップを含む。端末装置１は、上りリンク共有チャネルのリソースを指示する情報を含むランダムアクセスチャネルと該上りリンク共有チャネルを送信してもよい。該上りリンク共有チャネルは、第１のメッセージを含んでもよい。ここで、ステップ５２０１において、ランダムアクセスチャネルの代わりに制御チャネルが端末装置１より送信されてもよい。該制御チャネルは、上りリンク制御チャネル（ＰＵＣＣＨ：Ｐｈｙｓｉｃａｌ  ＵｐｌｉｎｋＣｏｎｔｒｏｌ  Ｃｈａｎｎｅｌ）であってもよい。端末装置１は、上りリンク共有チャネルのリソースを指示する情報を含む上りリンク制御チャネルと該上りリンク共有チャネルを送信してもよい。
【００５４】
上りリンク制御チャネルは、トランスポートブロックの復号が成功裏に完了したか否かを示す情報（ＡＣＫ：Ａｃｋｎｏｗｌｅｄｇｅｍｅｎｔ、ＨＡＲＱ−ＡＣＫ：Ｈｙｂｒｉｄ  Ａｕｔｏｍａｔｉｃ  Ｒｅｑｕｅｓｔ  −  ＡＣＫ）を含んでもよい。また、上りリンク制御チャネルは、参照信号や同期信号に基づき推定されたチャネル状態情報（ＣＳＩ：Ｃｈａｎｎｅｌ  Ｓｔａｔｅ  Ｉｎｆｏｒｍａｔｉｏｎ）を含んで送信されてもよい。また、上りリンク制御チャネルは、スケジューリングリクエスト（ＳＲ：Ｓｃｈｅｄｕｌｉｎｇ  Ｒｅｑｕｅｓｔ）を含んでもよい。
【００５５】
下りリンク制御チャネルは、下りリンク共有チャネルの始まりを示すスタートシンボル（Ｓｔａｒｔ  ｓｙｍｂｏｌ）に関連する情報を含んでもよい。該スタートシンボルに関連する情報は、該下りリンク制御チャネルに基づき割り当てられる下りリンク共有チャネルのために用いられてもよい。
【００５６】
下りリンク制御チャネルに少なくとも基づき、スタートシンボルが与えられてもよい。例えば、下りリンク制御チャネルがマップされるＯＦＤＭシンボルのためのインデックスに基づき、スタートシンボルが与えられてもよい。例えば、下りリンク制御チャネルがマップされるＯＦＤＭシンボルのためのインデックスがＸｓｔａｒｔである場合に、スタートシンボルはＸｓｔａｒｔ＋２であってもよいし、Ｘｓｔａｒｔ＋１であってもよいし、Ｘｓｔａｒｔであってもよい。また、下りリンク制御チャネルが複数のＯＦＤＭシンボルにマップされる場合に、Ｘｓｔａｒｔは該下りリンク制御チャネルがマップされる先頭のＯＦＤＭシンボルのためのインデックスであってもよいし、該下りリンク制御チャネルがマップされる最後のＯＦＤＭシンボルのためのインデックスであってもよい。
【００５７】
ステップ５２０２は、所定の下りリンク制御チャネルをモニタする動作を含む。該制御チャネルは、第２の初期接続のための制御チャネルとも呼称される。第２の初期接続のための制御チャネルは、ランダムアクセスレスポンスグラントを含んでもよい。また、第２の初期接続のための制御チャネルは、衝突の解決のために用いられてもよい。また、第２の初期接続のための制御チャネルは、第２のメッセージを含んでもよい。また、第２の初期接続のための制御チャネルは、端末装置固有のＩＤを含んでもよい。
【００５８】
第１の初期接続手順は、端末装置１がＲＲＣアイドルの場合に用いられてもよい。第２の初期接続手順は、端末装置１がＲＲＣアイドルの場合に用いられてもよい。第１の初期接続手順は、端末装置１がＲＲＣ中断の場合に用いられてもよい。第２の初期接続手順は、端末装置１がＲＲＣ中断の場合に用いられてもよい。また、第１の初期接続手順は、端末装置１がＲＲＣアイドルの場合に少なくとも用いられ、第２の初期接続手順は、端末装置１がＲＲＣ中断の場合に用いられてもよい。
【００５９】
以下、本実施形態に係る物理リソースの単位について説明する。
【００６０】
図６は、本実施形態の一態様に係るスロットに含まれるリソースエレメントの一例を示した図である。ここで、リソースエレメント（ＲＥ：Ｒｅｓｏｕｒｃｅ  Ｅｌｅｍｅｎｔ）は、１つのＯＦＤＭシンボルと１つのサブキャリアにより定義される単位である。図６に示されるように、スロットは、Ｎｓｙｍｂ個のＯＦＤＭシンボルを含む。また、サブキャリアの数は、リソースブロックの数ＮＲＢと、リソースブロックあたりのサブキャリア数ＮＲＢＳＣの積により与えられてもよい。ここで、リソースブロックは、時間／周波数領域のリソースエレメントのグループを示す。リソースブロックは、時間領域、および／または、周波数領域のリソース割り当ての単位として用いられてもよい。例えば、ＮＲＢＳＣは１２であってもよい。Ｎｓｙｍｂは、サブフレームに含まれるＯＦＤＭシンボルの数と同一であってもよい。Ｎｓｙｍｂは、スロットに含まれるＯＦＤＭシンボルの数と同一であってもよい。ＮＲＢは、セルの帯域幅と第１のサブキャリア間隔に基づき与えられてもよい。また、ＮＲＢは、セルの帯域幅と第２のサブキャリア間隔に基づき与えられてもよい。また、ＮＲＢは、基地局装置３より送信される上位層の信号（例えば、ＲＲＣシグナリング）等に基づき与えられてもよい。また、ＮＲＢは、仕様書の記載等に基づき与えられてもよい。リソースエレメントは、サブキャリアのためのインデックスｋと、ＯＦＤＭシンボルのためのインデックスｌにより識別される。
【００６１】
ここで、ＲＲＣシグナリングは、少なくとも、共通のＲＲＣシグナリング（ｃｏｍｍｏｎ  ＲＲＣ  ｓｉｇｎａｌｉｎｇ）、個別のＲＲＣシグナリング（ｄｅｄｉｃａｔｅｄ  ＲＲＣ  ｓｉｇｎａｌｉｎｇ）を含む。共通のＲＲＣシグナリングは、ＣＣＣＨにマップされる情報を送信するシグナリングである。また、個別のＲＲＣシグナリングは、ＤＣＣＨにマップされる情報を送信するシグナリングである。
【００６２】
以下、本実施形態に係る制御チャネルのマッピングについて説明する。
【００６３】
図７は、本実施形態の一態様に係る制御リソースセットのマッピングの一例を示した図である。図７においては、制御リソースセットが１つのスロットの一部にマップされる一例が示されている。また、図７に示されるスロットは、７つのＯＦＤＭシンボル（ＯＦＤＭシンボル＃０からＯＦＤＭシンボル＃６）から構成されている。ここで、制御リソースセットは、１つまたは複数の制御チャネルのマッピングに用いられる時間周波数領域を示してもよい。例えば、制御リソースセットは、図７の制御リソースセット＃０に示されるように、所定の周波数リソースと所定のＯＦＤＭシンボルの数により与えられる領域であってもよい。また、制御リソースセットは、スロットの先頭に配置されてもよい。また、制御リソースセットは、図７の制御リソースセット＃１に示されるように、時間、および／または、周波数領域において、非連続的に配置されてもよい。ここで、制御リソースセット＃１に示されるように配置されることは、“時間、および／または、周波数領域において、非連続的に配置されること”は、“分散的にマップされる（Ｄｉｓｔｒｉｂｕｔｅｄ  Ｍａｐｐｉｎｇ）”とも呼称される。”は、“分散的にマップされる（Ｄｉｓｔｒｉｂｕｔｅｄ  Ｍａｐｐｉｎｇ）”とも呼称される。一方、制御リソースセット＃０に示されるように、“時間、および、周波数領域において、連続的に配置されること”は、“局地的にマップされる（Ｌｏｃａｌｉｚｅｄ  Ｍａｐｐｉｎｇ）”とも呼称される。
【００６４】
また、制御リソースセットは、図７の制御リソースセット＃２に示されるように、１つのＯＦＤＭシンボルの（時間領域における）長さの一部のみが使用されてもよい。ここで、１つのＯＦＤＭシンボル内の一部の時間領域は、サブシンボルとも呼称される。例えば、サブシンボルは、ＯＦＤＭシンボル＃３のための第２のサブキャリア間隔よりも大きい第３のサブキャリア間隔に基づき与えられてもよい。また、第３のサブキャリア間隔は、第２のサブキャリア間隔と２のべき乗の積に基づき与えられてもよい。
【００６５】
また、制御リソースセットは、図７の制御リソースセット＃３に示されるように、所定のＯＦＤＭシンボルの１つのセルにおいてすべての周波数を含んで構成されてもよい。
【００６６】
周波数領域において、制御リソースセットのマッピングの単位は、リソースブロックであってもよい。
【００６７】
制御リソースセットは、端末装置１がモニタする制御チャネル（または、制御チャネルの候補）のセットであってもよい。制御リソースセットは、端末装置１がモニタする制御チャネル（または、制御チャネルの候補）のセットを含んでもよい。
【００６８】
ここで、第１の初期接続のための制御チャネルを含む制御リソースセットは、第１の制御リソースセットとも呼称される。第１の制御リソースセットは、セル内の端末装置において共通な制御リソースセットであってもよい。第１の制御リソースセットに含まれ、且つ、端末装置１がモニタする制御チャネル（または、制御チャネルの候補）のセットは、ＣＳＳ（Ｃｏｍｍｏｎ  Ｓｅａｒｃｈ  Ｓｐａｃｅ）とも呼称される。
【００６９】
第１の制御リソースセットの領域を示す情報は、ＢＣＣＨにマップされてもよい。第１の制御リソースセットの領域を示す情報は、ＭＩＢ、および／または、ＳＩＢにより報知される情報に少なくとも基づき与えられてもよい。第１の制御リソースセットの領域を示す情報は、第１の制御リソースセットに含まれるＯＦＤＭシンボルの数の設定に用いられる情報であってもよい。第１の制御リソースセットに含まれるＯＦＤＭシンボルの数は、１つのセル、または、複数のセルにおいて共通に設定されてもよい。第１の制御リソースセットに含まれるＯＦＤＭシンボルの数は、ＭＩＢ、および／または、ＳＩＢにより報知される情報に少なくとも基づき与えられてもよい。
【００７０】
ＣＳＳの領域を示す情報は、ＢＣＣＨにマップされてもよい。例えば、ＣＳＳの領域を示す情報は、ＣＳＳを構成するＯＦＤＭシンボルの数の設定に用いられる情報であってもよい。ＣＳＳを構成するＯＦＤＭシンボルの数は、１つのセル、または、複数のセルにおいて共通に設定されてもよい。ＣＳＳを構成するＯＦＤＭシンボルの数は、ＭＩＢ、および／または、ＳＩＢにより報知される情報に少なくとも基づき与えられてもよい。
【００７１】
また、第２の初期接続のための制御チャネルを含む制御リソースセットは、第２の制御リソースセットとも呼称される。第２の制御リソースセットは、セル内の端末装置において共通な制御リソースセットであってもよい。第２の制御リソースセットに含まれ、且つ、端末装置１がモニタする制御チャネル（または、制御チャネルの候補）のセットは、ＣＳＳとも呼称される。
【００７２】
また、端末装置１に固有に設定される制御リソースセットは、第３の制御リソースセットとも呼称される。第３の制御リソースセットは、第１の制御リソースセットを含まなくてもよい。第３の制御リソースセットは、第２の制御リソースセットを含まなくてもよい。第３の制御リソースセットは、第１の制御リソースセットを含んでもよい。第３の制御リソースセットは、第２の制御リソースセットを含んでもよい。第３の制御リソースセットに含まれ、且つ、端末装置１がモニタする制御チャネル（または、制御チャネルの候補）のセットは、ＵＳＳ（ＵＥ  ｓｐｅｃｉｆｉｃ  −  Ｓｅａｒｃｈ  Ｓｐａｃｅ）とも呼称される。
【００７３】
第３の制御リソースセットの領域を示す情報は、ＤＣＣＨにマップされてもよい。第３の制御リソースセットの領域を示す情報は、個別のＲＲＣシグナリング（ｄｅｄｉｃａｔｅｄ  ＲＲＣ  ｓｉｇｎａｌｉｎｇ）に少なくとも基づき与えられてもよい。例えば、第３の制御リソースセットの領域を示す情報は、第３の制御リソースセットに含まれるＯＦＤＭシンボルの数の設定に用いられる情報であってもよい。第３の制御リソースセットに含まれるＯＦＤＭシンボルの数は、個別のＲＲＣシグナリングに基づき少なくとも与えられてもよい。
【００７４】
ＵＳＳの領域を示す情報は、ＤＣＣＨにマップされてもよい。ＵＳＳの領域を示す情報は、個別のＲＲＣシグナリングに少なくとも基づき与えられてもよい。例えば、ＵＳＳの領域を示す情報は、個別のＲＲＣシグナリングに少なくとも基づき与えられてもよい。
【００７５】
図８は、本実施形態の一態様に係る制御チャネルのマッピングの一例を示した図である。図８（ａ）および（ｂ）においては、１つの制御リソースセットは局地的にマップされることを想定しているが、１つの制御リソースセットが分散的にマップされても、制御チャネルのマッピングは同様である。制御チャネルは、１、または、複数の制御リソースセットにマップされてもよい。
【００７６】
図８において、１つの制御チャネルは、１つまたは複数の第１のリソースグループによって構成される。ここで、第１のリソースグループは、ＣＣＥ（Ｃｏｎｔｒｏｌ  Ｃｈａｎｎｅｌ  Ｅｌｅｍｅｎｔ）とも呼称される。図８（ａ）に示されるように、制御チャネルは、ＣＣＥが局地的にマップされることにより構成されてもよい（Ｌｏｃａｌｉｚｅｄ  Ｍａｐｐｉｎｇ）。ここで、制御チャネルが局地的にマップされるとは、時間、および、周波数領域において、連続的なＣＣＥから制御チャネルが構成されることであってもよい。図８（ａ）において、右上がり対角線で示されるＣＣＥにより構成される制御チャネルは、局地的にマップされる制御チャネルの一例である。また、図８（ａ）において、左上がり対角線で示されるＣＣＥにより構成される制御チャネルは、局地的にマップされる制御チャネルの一例である。また、図８（ａ）において、格子線で示されるＣＣＥにより構成される制御チャネルは、局地的にマップされる制御チャネルの一例である。また、図８（ａ）において、横線で示されるＣＣＥにより構成される制御チャネルは、局地的にマップされる制御チャネルの一例である。一方、図８（ｂ）に示されるように、制御チャネルは、ＣＣＥが分散的にマップされることにより構成されてもよい（Ｄｉｓｔｒｉｂｕｔｅｄ  Ｍａｐｐｉｎｇ）。ここで、制御チャネルが分散的にマップされるとは、時間、および、周波数領域において、非連続的なＣＣＥから制御チャネルが構成されることであってもよい。図８（ｂ）において、右上がり対角線で示されるＣＣＥにより構成される制御チャネルは、分散的にマップされる制御チャネルの一例である。また、図８（ｂ）において、格子線で示されるＣＣＥにより構成される制御チャネルは、分散的にマップされる制御チャネルの一例である。
【００７７】
複数の制御リソースセットにマップされる制御チャネルは、分散的にマップされる制御チャネルであってもよい。
【００７８】
ＣＣＥは、第２のリソースグループによって構成されてもよい。また、ＣＣＥは、所定の数のリソースエレメントにより与えられてもよい。ここで、第２のリソースグループは、ＲＥＧ（Ｒｅｓｏｕｒｃｅ  Ｅｌｅｍｅｎｔ  Ｇｒｏｕｐ）とも呼称される。１つのＲＥＧは、所定の数のリソースエレメントにより構成されてもよい。また、１つのＲＥＧは、所定のＯＦＤＭシンボルの数と、所定のサブキャリアの数に少なくとも基づき与えられてもよい。ここで、所定のサブキャリアの数は、１２であってもよい。所定のサブキャリアの数は、リソースブロックに含まれるサブキャリアの数と同じであってもよい。また、１つのＲＥＧは、リソースブロックに含まれる所定のＯＦＤＭシンボルの数に少なくとも基づき与えられてもよい。
【００７９】
１つのＣＣＥを構成するＲＥＧの数、または、ＣＣＥを構成するリソースエレメントの数は、集約レベル（Ａｇｇｒｅｇａｔｉｏｎ  Ｌｅｖｅｌ）とも呼称される。
【００８０】
図９は、本実施形態の一態様に係るＲＥＧの構成の一例を示す図である。ＲＥＧは、周波数領域において連続する所定の数のリソースエレメントから、所定の数の参照信号、および／または、所定の数の制御チャネル以外のチャネル（同期信号を含む）のために用いられるリソースエレメントを差し引くことによって構成されてもよい。例えば、ＲＥＧは、周波数領域において連続する１２個のリソースエレメントのうちの９個のリソースエレメントより構成されてもよい。ＲＥＧは、該ＲＥＧを復調するために用いられる参照信号を含んで構成されてもよい。
【００８１】
以下、制御チャネルに対応する参照信号について説明する。
【００８２】
参照信号が制御チャネルに対応していることは、該参照信号が該制御チャネルの復調に使用可能であることであってもよい。参照信号が制御チャネルに対応していることは、該参照信号のアンテナポートと該制御チャネルのアンテナポートが対応していることであってもよい。例えば、該参照信号のアンテナポートと該制御チャネルのアンテナポートが対応していることは、該参照信号のアンテナポートと該制御チャネルのアンテナポートが同一であることを示してもよい。また、参照信号が制御チャネルに対応していることは、該参照信号の物理的特徴と該制御チャネルの物理的特徴が同一であることであってもよい。参照信号が制御チャネルに対応していることは、該参照信号がマップされるリソースエレメントと該制御チャネルがマップされるリソースエレメントが近接していることであってもよい。参照信号が制御チャネルに対応しているかどうかは、上記の組み合わせによって与えられてもよい。
【００８３】
アンテナポートは、あるアンテナポートのあるシンボルが搬送するチャネルが同じアンテナポートの他のシンボルが搬送するチャネルから推定されることができるものと定義される。すなわち、例えば、第１の物理チャネルと第１の参照信号が、同一のアンテナポートのシンボルで搬送（ｃｏｎｖｅｙ）される場合、第１の物理チャネルの伝搬路補償を第１の参照信号によって行うことができる。ここで、同一のアンテナポートとは、アンテナポートの番号（アンテナポートを識別するための番号）が、同一であることであってもよい。ここで、該シンボルは、例えば、ＯＦＤＭシンボルの少なくとも一部であってもよい。また、該シンボルは、リソースエレメントであってもよい。
【００８４】
物理的特徴とは、例えば、プレコーダ、ビーム（または、ビームパターン）、受信電力（受信電力値、受信電力密度、受信強度等）、送信電力（送信電力値、送信電力密度、送信強度等）、タイミングアドバンス（ＴＡ：Ｔｉｍｉｎｇ  Ａｄｖａｎｃｅ）、到来角度（ＡｏＡ：Ａｎｇｌｅ  ｏｆ  Ａｒｉｖａｌ）、ドップラシフト、遅延スプレッド（または、最大遅延時間等）、遅延広がり（遅延拡がり、瞬時遅延広がり、瞬時遅延拡がり等）、ＱＣＬ（Ｑｕａｓｉ  −  Ｃｏｌｌｏｃａｔｉｏｎ）の少なくとも一つを含んでもよい。なお、物理チャネルの間の物理的特徴が同一であることは、必ずしも、厳密に物理的特徴の値が同一であることでなくてもよい。つまり、物理チャネルの間の物理的特徴が同一であることは、物理チャネルの間の物理的特徴の平均値（例えば、時間、周波数等の領域で平均化された値等でもよい）が同一（または、２つの値が近接していること）であることであってもよい。送信電力は、ＥＰＲＥ（Ｅｎｅｒｇｙ  Ｐｅｒ  Ｒｅｓｏｕｒｃｅ  Ｅｌｅｍｅｎｔ）によって定義されてもよい。
【００８５】
参照信号は、時間、および／または、周波数において近接したリソースにマップされる制御チャネルに少なくとも対応してもよい。図１０は、本実施形態の一態様に係る参照信号と制御チャネルの対応関係の一例を示す図である。参照信号がマップされるリソースエレメントには、基地局装置３と端末装置１において既知とされる系列がマップされてもよい。制御チャネルがマップされるリソースエレメントは、下りリンク制御情報がマップされるリソースエレメントであってもよい。図１０のリソースエレメントは、ＯＦＤＭシンボルのためのインデックスｌ（ｌ＝０〜３）と、サブキャリアのためのインデックスｋ（ｋ＝０〜１３）により識別される。例えば、参照信号がマップされるリソースエレメント（ｌ、ｋ）は、リソースエレメント（０、５）、（０、９）、（０、１３）、（２、７）、（２、１１）である。
【００８６】
図１０に示される一例において、参照信号に対応する制御チャネルのリソースのリソースエレメントは、ｌ＝０に対応するリソースエレメントとｌ＝２に対応するリソースエレメントであってもよい。また、参照信号に対応するリソースエレメントは、ｌ＝０〜３に対応するリソースエレメントであってもよい。また、参照信号に対応するリソースエレメントは、ｌ＝０〜３に対応し、ｋ＝５〜１３に対応するリソースエレメントであってもよい。また、参照信号に対応するリソースエレメントは、ｌ＝０〜３に対応し、ｋ＝３〜１３に対応するリソースエレメントであってもよい。
【００８７】
つまり、参照信号と対応する制御チャネルのリソースエレメントは、参照信号がマップされるリソースエレメントからＯＦＤＭシンボルのためのインデックスに関して所定の値だけ離れていること、および／または、参照信号がマップされるリソースエレメントからサブキャリアのためのインデックスに関して所定の値だけ離れているか否かに少なくとも基づき与えられてもよい。
【００８８】
１つのリソースブロックに参照信号がマップされるリソースエレメントと制御チャネルがマップされるリソースエレメントが含まれる場合、該参照信号と該制御チャネルのリソースエレメントは対応していることが想定されてもよい。１つのＣＣＥに参照信号がマップされるリソースエレメントと制御チャネルがマップされるリソースエレメントが含まれる場合、該参照信号と該制御チャネルのリソースエレメントは対応していることが想定されてもよい。
【００８９】
以下、参照信号と制御チャネルの対応関係の具体例について説明する。
【００９０】
図１１は、本実施形態の一態様に係る制御チャネルが局地的にマップされる場合の参照信号と制御チャネルの対応関係の一例を示した図である。図１１の例において、制御チャネルは、１つのＣＣＥにマップされることが想定され、かつ、１つのＣＣＥは１つのＲＥＧから構成される（または、１つのＣＣＥは周波数方向に連続した１２個のサブキャリアから構成される）ことが想定される。一方、本発明の種々の態様は、制御チャネルが１つのＣＣＥにマップされることに限定されない。また、本発明の種々の態様は、１つのＣＣＥが１つのＲＥＧから構成されることに限定されない。
【００９１】
図１１において、ＮＣＲＳＣは制御リソースセットを構成するサブキャリアの数である。図１１において、制御リソースセットは、制御チャネル９００１、９００２、および９００３を含む。図１１において、それぞれの制御リソースセットは、太線で示されるように、制御チャネルがマップされるリソースエレメント９つと参照信号がマップされるリソースエレメント３つを含んで構成される。ここで、制御チャネルに含まれる参照信号は、制御チャネルに対応する参照信号である。ここで、参照信号のマッピングは、制御チャネルごとに異なってもよい。ここで、図１１において、制御チャネル９００１、９００２、および、９００３は、それぞれ、制御チャネルがマップされるリソースエレメントを含むが、制御チャネルの別の一例において、制御チャネルは参照信号がマップされるリソースエレメントを含まず構成されてもよい。この場合、制御チャネルがマップされるリソースエレメントに対応する、参照信号がマップされるリソースエレメントは、制御チャネルに対応する参照信号であってもよい。
【００９２】
制御チャネルＸに対応する参照信号は、参照信号Ｘとも呼称される。つまり、図１１の一例において、制御チャネル９００１に対応する参照信号は参照信号９００１とも呼称される。ここで、参照信号は、参照信号のセットを示す。ここで、制御チャネル９００１に対応する参照信号９００１が、参照信号９００２に対応する制御チャネル９００２に対応することは、制御チャネル９００１、参照信号９００１、制御チャネル９００２、および、参照信号９００２が対応していることを意味してもよい。
【００９３】
図１１において、制御チャネル９００１に対応する参照信号９００１が、制御チャネル９００２に対応してもよい。また、参照信号９００１が、制御チャネル９００２に対応しなくてもよい。参照信号９００１が、制御チャネル９００３に対応しなくてもよい。例えば、制御チャネル９００１と制御チャネル９００２のように、２つの異なる制御チャネルがマップされるサブキャリアのためのインデックスが同一である場合、参照信号９００１と制御チャネル９００２が対応してもよい。また、制御チャネル９００１と制御チャネル９００３のように、２つの異なる制御チャネルがマップされるサブキャリアのためのインデックスが異なる場合、参照信号９００１と制御チャネル９００３が対応しなくてもよい。
【００９４】
図１２は、本実施形態の一態様に係る制御チャネルが分散的にマップされる場合の参照信号と制御チャネルの対応関係の一例を示した図である。ＯＦＤＭシンボルのためのインデックスｌ＝０のリソースエレメントの一部（右上がり対角線でしめされるリソースエレメント）に、制御チャネル９００４がマップされている。また、ＯＦＤＭシンボルのためのインデックスｌ＝０のリソースエレメントの一部（黒塗でしめされるリソースエレメント）に、参照信号がマップされている。該参照信号は、参照信号９００４とも呼称される。図１２において、例えば、制御チャネル９００４と参照信号９００４は対応している。一方、参照信号９００４と制御チャネル９００５は対応してもよい。また、参照信号９００４と制御チャネル９００５は対応しなくてもよい。図１２に示されるように、２つの制御チャネルがそれぞれ分散的にマップされる場合、一方の制御チャネルと対応している参照信号は、他方の制御チャネルと対応してもよい。
【００９５】
図１３は、本実施形態の一態様に係る１つの制御チャネルに含まれるＣＣＥが局地的にマップされる場合の、制御チャネルと参照信号の対応関係の一例を示す図である。図１３において、横軸は時間領域に対応し、縦軸は周波数領域に対応する。ここで、それぞれのＣＣＥは、対応する参照信号を備えてもよい。また、制御チャネル９１０１から９１０５は、それぞれ対応する参照信号を備えてもよい。ここで、制御チャネル９１０１から９１０５にそれぞれ対応する参照信号は、参照信号９１０１から参照信号９１０５とも呼称される。例えば、参照信号９１０１は、制御チャネル９１０２に対応してもよい。また、参照信号９１０１は、制御チャネル９１０３に対応しなくてもよい。つまり、制御チャネル９１０１と９１０３に示されるように、２つの制御チャネルがそれぞれ異なる集約レベルである場合に、参照信号９１０１と制御チャネル９１０３は対応しなくてもよい。また、例えば、参照信号９１０４と制御チャネル９１０５は対応しなくてもよい。制御チャネル９１０４と制御チャネル９１０５に示されるように、異なる２つの制御チャネルの集約レベルが同一であっても、例えば、それぞれの制御チャネルを構成するＣＣＥがマップされるサブキャリアのインデックスが異なる場合、参照信号９１０４と制御チャネル９１０５は対応しなくてもよい。
【００９６】
図１４は、本実施形態の一態様に係る１つの制御チャネルに含まれるＣＣＥが分散的にマップされる場合の、制御チャネルと参照信号の対応関係の一例を示す図である。図１４において、横軸は時間領域に対応し、縦軸は周波数領域に対応する。制御チャネル９１０６から９１０８のように、制御チャネルが分散的にマップされる場合、制御チャネル９１０６と対応する参照信号９１０６は、制御チャネル９１０７、９１０８と対応してもよいし、対応しなくてもよい。
【００９７】
以下、制御チャネルをモニタする端末装置の手順を説明する。ここで、“同一の物理的特徴を備えること”は、“端末装置１によって物理的特徴が同一であると想定されること”であってもよい。また、“異なる物理的特徴を備えること”は“端末装置１によって物理的特徴が同一であると想定されないこと”であってもよい。
【００９８】
端末装置１は、モニタリングのための種々の設定の一部、または、全部に少なくとも基づき、制御チャネルのモニタリングを行ってもよい。例えば、モニタリングのための設定は、制御リソースセットのリソース割り当てに関する設定、参照信号の設定、集約レベルの設定、制御チャネルのマッピングの設定の少なくとも一部、または、全部を含んでもよい。例えば、制御リソースセットのリソース割り当てに関する設定は、端末装置１に設定される制御リソースセットが、連続的なリソースのみを含むか非連続的なリソースを含むかであってもよい。また、参照信号の設定は、参照信号が、端末装置１に固有な参照信号であるか、制御チャネルに固有な参照信号であるか、少なくとも端末装置１を含む端末装置のグループに共通な参照信号であるか、であってもよい。また、集約レベルの設定は、端末装置１がモニタすることが指示される集約レベルの設定であってもよい。また、制御チャネルのマッピングの設定は、制御チャネルがマップされるＯＦＤＭシンボルの数の設定であってもよいし、制御チャネルのマッピングが局地的であるか分散的であるかの設定であってもよい。
【００９９】
端末装置１は、モニタリングのための種々の設定に少なくとも基づき、制御チャネルのモニタリングを行う。ここで、端末装置１がモニタする制御チャネルは、１つの制御リソースセットにおいて１つであるとは限らない。つまり、端末装置１は、制御リソースセットに設定される複数の制御チャネルをモニタしてもよい。また、所定の期間において（例えば、サブフレーム、スロット等）、端末装置が設定される制御リソースセットの数は１つ、または、複数であってもよい。また、モニタリングのための種々の設定は、端末装置１に設定される制御リソースセットごとに固有の設定であってもよい。
【０１００】
端末装置１がモニタする制御チャネルにおいて、該端末装置１宛ての下りリンク制御情報が必ず取得されるとは限らない。端末装置１は、制御チャネルを、該制御チャネルに対応する参照信号（または、参照信号がマップされる可能性があるリソースエレメントのセット）に基づき復調を行い、復調後の変調シンボル（複素数値シンボル）から下りリンク制御情報の復号を試みてもよい。ここで、変調シンボルとは、少なくとも１つのリソースエレメントにマップされる、変調後のシンボルである。変調は、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｒｄｒａｔｕｒｅ  Ｐｈａｓｅ  Ｓｈｉｆｔ  Ｋｅｙｉｎｇ）、１６ＱＡＭ（Ｑｕａｒｄｒａｔｕｒｅ  Ａｍｐｌｉｔｕｄｅ  Ｍｏｄｕｌａｔｉｏｎ）、６４ＱＡＭ等を含む。
【０１０１】
下りリンク制御情報は、該下りリンク制御情報の宛先を指示する情報を含んでもよい。また、下りリンク制御情報は、該下りリンク制御情報の宛先を指示する情報に基づき与えられる系列によりマスクされるＣＲＣ（Ｃｙｃｋｉｃ  Ｒｅｄａｎｄａｎｃｙ  Ｃｈｅｃｋ）系列が付加されてもよい。ここで、該下りリンク制御情報の宛先を指示する情報に基づき与えられる系列は、端末装置１に対して割り当てられた系列、基地局装置３から受信した情報により与えられる系列であってもよい。ここで、該下りリンク制御情報の宛先を指定する情報は、該下りリンク制御情報のビット系列に基づき与えられるＣＲＣ系列をマスク（ｍａｓｋ）する所定の系列であってもよい。また、ここで、第１の系列が第２の系列をマスクするとは、例えば、第１の系列と第２の系列との間で２を法とする和（ｍｏｄｕｌｏ  ２  ｏｐｅｒａｔｉｏｎ）をとることであってもよい。例えば、第１の系列ｃ１ｋが第２の系列ｃ２ｋにマスクされて得られる系列ｏｋは、ｏｋ＝ｍｏｄ２（ｃ１ｋ＋ｃ２ｋ）により与えられてもよい。ｍｏｄ２（＊）は、２を法とする和を＊に対して実施する演算子である。
【０１０２】
例えば、端末装置１は、所定の系列によりマスクされたＣＲＣ系列により与えられる第３の系列が付加された下りリンク制御情報を受信する。次いで、端末装置１は、受信した該下りリンク制御情報から該第３の系列を取り出し、該第３の系列を第４の系列によりマスクすることにより第５の系列を生成する。ここで、該第４の系列は、例えば、端末装置１に対して固有な系列であってもよいし（例えば、Ｃ−ＲＮＴＩ：Ｃｅｌｌ  ｓｐｅｃｉｆｉｃ  −  Ｒａｄｉｏ  Ｎｅｔｗｏｒｋ  Ｔｅｍｐｏｒａｒｙ  Ｉｄｅｎｔｉｆｉｅｒ）、該第４の系列は、少なくとも端末装置を含む端末装置１のグループに共有される系列であってもよい（例えば、Ｇｒｏｕｐ  ｓｐｅｃｉｆｉｃ  ＲＮＴＩ）。また、該第４の系列は、仕様書等の記載に基づき与えられてもよい（例えば、Ｃｏｍｍｏｎ  Ｃ−ＲＮＴＩ）。また、該第４の系列は、第１の初期接続手順におけるステップ５１０２において基地局装置３より通知される系列であってもよい（例えば、Ｔｅｍｐｏｒａｒｙ  Ｃ−ＲＮＴＩ）。該下りリンク制御情報を成功裏に復号したか否かは、該第５の系列がＣＲＣ系列のための所定の条件を満たすか否かに基づき与えられてもよい。ここで、ＣＲＣ系列のための所定の条件とは、例えば、該第５の系列が端末装置１において既知であることであってもよい。また、ＣＲＣ系列のための所定の条件とは、例えば、該第５の系列に含まれるすべてのビットが０である、または、１であることであってもよい。
【０１０３】
制御チャネルは、制御チャネル候補と呼称されてもよい。また、端末装置１が、制御チャネル候補をモニタすることは、ブラインド復号（Ｂｌｉｎｄ  Ｄｅｃｏｄｉｎｇ）と呼称されてもよい。制御チャネル候補は、端末装置１が制御チャネルの復号を試みるリソースであってもよい。端末装置１は、制御チャネル候補において、制御チャネルの復号を試みてもよい。
【０１０４】
以下、端末装置１のチャネルの受信方法を説明する。以下では、チャネルの受信方法の一例として、制御チャネルの受信方法を例にとり説明を行うが、本実施形態の種々の態様は、制御チャネルの受信方法に限定されない。例えば、共有チャネルの受信方法であってもよいし、ランダムアクセスチャネルであってもよい。
【０１０５】
端末装置１は、第１の制御チャネルと第２の制御チャネルをモニタすることができる。ここで、例えば、第１の制御チャネル、および／または、第２の制御チャネルのマッピングは、第１のマッピングであってもよいし、第２のマッピングであってもよい。例えば、端末装置１は、第１の制御チャネル、および／または、第２の制御チャネルのマッピングの設定に少なくとも基づき、第１のチャネル、および／または、第２のチャネルの復調方法を変更してもよい。ここで、第１の制御チャネルに対応する参照信号を第１の参照信号と呼称する。
【０１０６】
ここで、本実施形態において特に言及のない限り、第１の制御チャネルと第２の制御チャネルは同一の制御リソースセットに含まれてもよい。また、第１の制御チャネルが第１の制御リソースセットに含まれ、第２の制御チャネルが第２の制御リソースセットに含まれる場合に、第１の参照信号と第２の制御チャネルは同一の物理的特徴を備えてもよい。
【０１０７】
例えば、第１の制御チャネルおよび第２の制御チャネルのマッピングが第１のマッピングである場合、第１の参照信号と第２の制御チャネルは同一の物理的特徴を備えてもよい。また、第１の制御チャネルおよび第２の制御チャネルのマッピングが第１のマッピングである場合、端末装置１は第１の参照信号と第２の制御チャネルが同一の物理的特徴を備えることを想定してもよい。また、第１の制御チャネルおよび第２の制御チャネルのマッピングが第１のマッピングである場合、端末装置１は第１の参照信号を第１の制御チャネルおよび第２の制御チャネルの復調に用いてもよい。
【０１０８】
例えば、第１の制御チャネルおよび第２の制御チャネルのマッピングが第２のマッピングである場合、第１の参照信号と第２の制御チャネルは異なる物理的特徴を備えてもよい。また、第１の制御チャネルおよび第２の制御チャネルのマッピングが第２のマッピングである場合、端末装置１は第１の参照信号と第２の制御チャネルが異なる物理的特徴を備えることを想定してもよい。また、第１の制御チャネルおよび第２の制御チャネルのマッピングが第２のマッピングである場合、端末装置１は第１の参照信号を第１の制御チャネルの復調に用い、第２の参照信号を第２の制御チャネルの復調に用いてもよい。
【０１０９】
例えば、第１の制御チャネルが第１のマッピングであり、かつ、第２の制御チャネルが第２のマッピングである場合、第１の参照信号と第２の制御チャネルは異なる物理的特徴を備えてもよい。また、第１の制御チャネルが第１のマッピングであり、かつ、第２の制御チャネルが第２のマッピングである場合、端末装置１は第１の参照信号と第２の制御チャネルが異なる物理的特徴を備えることを想定してもよい。また、第１の制御チャネルが第１のマッピングであり、かつ、第２の制御チャネルが第２のマッピングである場合、端末装置１は第１の参照信号を第１の制御チャネルの復調に用い、第２の参照信号を第２の制御チャネルの復調に用いてもよい。
【０１１０】
第１のマッピングは、例えば、局地的なマッピングであってもよい。ここで、制御チャネルのマッピングが局地的なマッピングであるとは、制御チャネルを構成するＣＣＥが局地的にマップされることであってもよい。また、制御チャネルのマッピングが局地的なマッピングであるとは、制御チャネルを構成するＲＥＧが局地的にマップされることであってもよい。また、制御チャネルのマッピングが局地的なマッピングであるとは、制御チャネルを構成するリソースエレメントが局地的にマップされることであってもよい。つまり、制御チャネルのマッピングが局地的なマッピングであるとは、制御チャネルを構成する１つまたは複数のリソースエレメントが、周波数領域および／または時間領域に、連続してマップされることであってもよい。また、第１のマッピングは、分散的なマッピングであってもよい。ここで、制御チャネルのマッピングが分散的なマッピングであるとは、制御チャネルを構成するＣＣＥが分散的にマップされることであってもよい。また、制御チャネルのマッピングが分散的なマッピングであるとは、制御チャネルを構成するＲＥＧが分散的にマップされることであってもよい。また、制御チャネルのマッピングが分散的なマッピングであるとは、制御チャネルを構成する複数のリソースエレメントが、周波数領域および／または時間領域に、分散的にマップされることであってもよい。
【０１１１】
第２のマッピングは、例えば、局地的なマッピングであってもよい。また、第２のマッピングは、分散的なマッピングであってもよい。第１のマッピングが分散的なマッピングである場合に、第２のマッピングは局地的なマッピングであってもよい。また、第１のマッピングが局地的なマッピングである場合に、第２のマッピングは分散的なマッピングであってもよい。つまり、第１のマッピングおよび第２のマッピングは、個別に設定されてもよい。
【０１１２】
第１の参照信号と第２の制御チャネルが同一の物理的特徴を備えるか否かは、要素Ａ１から要素Ａ５の一部、または、全部に少なくとも基づき与えられてもよい。（Ａ１）第１の制御チャネルおよび第２の制御チャネルのマッピングの設定（Ａ２）第１の制御チャネルがマップされる第１のリソースと、第２の制御チャネルがマップされる第２のリソースの少なくとも一部が重複するか否か（Ａ３）第１の制御チャネルのために設定される第１の集約レベルと、第２の制御チャネルのために設定される第２の集約レベルとが対応しているか否か（Ａ４）第１の参照信号のための第１のアンテナポートと、第２の制御チャネルのための第２のアンテナポートが対応しているか否か（Ａ５）第１の参照信号を含む所定の範囲に第２の制御チャネルの少なくとも一部が含まれるか否か
【０１１３】
ここで、要素（Ａ２）において、該第１のリソースと該第２のリソースの少なくとも一部が重複するか否かは、該第１のリソースと該第２のリソースの少なくとも一部が同一の周波数（または、インデックス、サブキャリアのためのインデックス、ＰＲＢ、ＰＲＢのためのインデックス）であるか否か、を意味してもよい。
【０１１４】
ここで、要素（Ａ３）において、例えば、該第１の集約レベルと該第２の集約レベルが対応していることは、該第１の集約レベルと該第２の集約レベルが同一であることであってもよい。また、該第１の集約レベルと該第２の集約レベルが対応しないことは、該第１の集約レベルと該第２の集約レベルが異なることであってもよい。また、該第１の集約レベルと該第２の集約レベルが対応することは、該第１の集約レベルと第２の集約レベルとが関連付けられることであってもよい。また、該第１の集約レベルと該第２の集約レベルが対応しないことは、該第１の集約レベルと第２の集約レベルとが関連付けられないことであってもよい。
【０１１５】
例えば、第１の制御チャネルと第２の制御チャネルが第１のマッピングである場合、第１の参照信号と第２の制御チャネルが同一の物理的特徴を備えてもよい。また、第１の制御チャネルと第２の制御チャネルが第２のマッピングである場合、第１の参照信号と第２の制御チャネルが異なる物理的特徴を備えてもよい。また、第１の制御チャネルが第１のマッピングであり、第２の制御チャネルが第２のマッピングである場合、第１の参照信号と第２の制御チャネルが異なる物理的特徴を備えてもよい。
【０１１６】
例えば、第１の制御チャネルがマップされる第１のリソースと、第２の制御チャネルがマップされる第２のリソースの少なくとも一部が重複する場合に、第１の参照信号と第２の制御チャネルが同一の物理的特徴を備えてもよい。また、第１の制御チャネルがマップされる第１のリソースと、第２の制御チャネルがマップされる第２のリソースが重複しない場合に、第１の参照信号と第２の制御チャネルが異なる物理的特徴を備えてもよい。
【０１１７】
例えば、第１の制御チャネルのために設定される第１の集約レベルと、第２の制御チャネルのために設定される第２の集約レベルとが対応している場合に、第１の参照信号と第２の制御チャネルが同一の物理的特徴を備えてもよい。また、第１の制御チャネルのために設定される第１の集約レベルと、第２の制御チャネルのために設定される第２の集約レベルとが対応しない場合に、第１の参照信号と第２の制御チャネルが異なる物理的特徴を備えてもよい。つまり、参照信号と制御チャネルの物理的特徴は、制御チャネルの集約レベルに基づいて関連付けられてもよい。
【０１１８】
例えば、第１の参照信号のための第１のアンテナポートと、第２の制御チャネルのための第２のアンテナポートが対応している場合に、第１の参照信号と第２の制御チャネルが同一の物理的特徴を備えてもよい。また、第１の参照信号のための第１のアンテナポートと、第２の制御チャネルのための第２のアンテナポートが対応していない場合に、第１の参照信号と第２の制御チャネルが異なる物理的特徴を備えてもよい。つまり、参照信号と制御チャネルの物理的特徴は、制御チャネルと参照信号のアンテナポートの対応関係に基づいて関連付けられてもよい。
【０１１９】
例えば、第１の参照信号を含む所定の範囲に第２の制御チャネルが含まれる場合に、第１の参照信号と第２の制御チャネルが同一の物理的特徴を備えてもよい。また、第１の参照信号を含む所定の範囲に第２の制御チャネルが含まれない場合に、第１の参照信号と第２の制御チャネルが異なる物理的特徴を備えてもよい。
【０１２０】
ここで、第１の参照信号を含む所定の範囲は、時間領域で表現される範囲であってもよい。つまり、第１の参照信号を含む所定の範囲は、第１の参照信号を含む所定の期間であってもよい。例えば、第１の参照信号を含む所定の範囲は、ＯＦＤＭシンボルの数により与えられてもよい。つまり、例えば、第１の参照信号を含むＯＦＤＭシンボルのセットにより与えられる期間に第２の制御チャネルが含まれる場合、第１の参照信号と第２の制御チャネルが同一の物理的特徴を備えてもよい。また、第１の参照信号を含むＯＦＤＭシンボルのセットにより与えられる期間に第２の制御チャネルが含まれない場合、第１の参照信号と第２の制御チャネルが異なる物理的特徴を備えてもよい。
【０１２１】
第１の参照信号を含む所定の範囲は、該第１の参照信号の物理的特徴の粒度であってもよい。例えば、端末装置１は、該第１の参照信号の物理的特徴の粒度がＸシンボルであると設定された場合に、第１の参照信号からＸシンボルの期間に含まれる第２の制御チャネルと、該第１の参照信号は同一の物理的特徴を備えてもよい。該第１の参照信号の物理的特徴の粒度は、端末装置１において該第１の参照信号が復調に用いられる範囲であってもよい。ここで、該第１の参照信号の物理的特徴の粒度は、ＲＲＣシグナリングに少なくとも基づき与えられてもよい。
【０１２２】
例えば、第１の参照信号を含む所定の範囲は、スロットの数により与えられてもよい。例えば、第１の参照信号を含む１つのスロットにより与えられる期間に第２の制御チャネルが含まれる場合、第１の参照信号と第２の制御チャネルが同一の物理的特徴を備えてもよい。また、第１の参照信号を含む１つのスロットにより与えられる期間に第２の制御チャネルが含まれない場合、第１の参照信号と第２の制御チャネルが異なる物理的特徴を備えてもよい。第１の参照信号の物理的特徴の粒度は、スロットに基づき与えられてもよい。
【０１２３】
例えば、第１の参照信号を含む所定の範囲は、サブフレームの数により与えられてもよい。例えば、第１の参照信号を含む１つのサブフレームにより与えられる期間に第２の制御チャネルが含まれる場合、第１の参照信号と第２の制御チャネルが同一の物理的特徴を備えてもよい。また、第１の参照信号を含む１つのサブフレームにより与えられる期間に第２の制御チャネルが含まれない場合、第１の参照信号と第２の制御チャネルが異なる物理的特徴を備えてもよい。第１の参照信号の物理的特徴の粒度は、サブフレームに基づき与えられてもよい。
【０１２４】
第１の参照信号を含む所定の範囲は、非連続な領域により与えられてもよい。図１５は、本実施形態の一態様に係る第１の参照信号を含む所定の範囲の一例を示す図である。図１５に示される＃０から＃５までのインデックスは、ＯＦＤＭシンボルのためのインデックスであってもよいし、スロットのためのインデックスであってもよいし、サブフレームのためのインデックスであってもよい。ここで、第１の参照信号は、インデックス＃０に含まれることを仮定して説明が行われる。図１５（ａ）に示されるように、第１の参照信号を含む所定の範囲は、連続的に設定されてもよい。また、図１５（ｂ）に示されるように、第１の参照信号を含む所定の範囲は、規則的に非連続に設定されてもよい。また、図１５（ｃ）に示されるように、第１の参照信号を含む所定の範囲は、複数の連続的な範囲を含んでもよい。また、図１５（ｄ）に示されるように、第１の参照信号を含む所定の範囲は、不規則的に非連続に設定されてもよい。
【０１２５】
ＣＳＳに含まれる第１の参照信号を含む所定の範囲は、仕様書等の記載に基づき与えられてもよい。言い換えると、ＣＳＳに含まれる第１の参照信号を含む所定の範囲は、端末装置１が必要な情報を検出することなく、決定されてもよい。ＵＳＳに含まれる第１の参照信号を含む所定の範囲は、少なくとも個別のＲＲＣシグナリングに基づき与えられてもよい。ＵＳＳに含まれる第１の参照信号を含む所定の範囲を示す情報は、ＤＣＣＨにマップされてもよい。
【０１２６】
例えば、第１の制御チャネルおよび第２の制御チャネルのうち、少なくとも１つの制御チャネルのマッピングが第１のマッピングであり、かつ、第１の制御チャネルがマップされる第１のリソースと、第２の制御チャネルがマップされる第２のリソースの少なくとも一部が重複する場合に、第１の参照信号と第２の制御チャネルが同一の物理的特徴を備えてもよい。
【０１２７】
例えば、第１の制御チャネおよび第２の制御チャネルのうち、少なくとも１つの制御チャネルのマッピングが第１のマッピングであり、かつ、第１の制御チャネルのために設定される第１の集約レベルと、第２の制御チャネルのために設定される第２の集約レベルとが同一である場合に、第１の参照信号と第２の制御チャネルが同一の物理的特徴を備えてもよい。つまり、制御チャネルと参照信号の物理的特徴は、制御チャネルのマッピングと、制御チャネルの集約レベルに基づいて関連付けられてもよい。
【０１２８】
例えば、第１の制御チャネルがマップされる第１のリソースと、第２の制御チャネルがマップされる第２のリソースの少なくとも一部が重複し、かつ、第１の制御チャネルのために設定される第１の集約レベルと、第２の制御チャネルのために設定される第２の集約レベルとが同一である場合に、第１の参照信号と第２の制御チャネルが同一の物理的特徴を備えてもよい。つまり、制御チャネルと参照信号の物理的特徴は、制御チャネルのリソースが重複しているか否かと、制御チャネルの集約レベルに基づいて関連づけられてもよい。
【０１２９】
例えば、第１の制御チャネルがマップされる第１のリソースと、第２の制御チャネルがマップされる第２のリソースの少なくとも一部が重複し、かつ、第１の参照信号のための第１のアンテナポートと、第２の制御チャネルのための第２のアンテナポートが対応している場合に、第１の参照信号と第２の制御チャネルが同一の物理的特徴を備えてもよい。つまり、制御チャネルと参照信号の物理的特徴は、制御チャネルのリソースが重複しているか否かと、制御チャネルのアンテナポートに基づいて関連づけられてもよい。
【０１３０】
例えば、第１の制御チャネルおよび第２の制御チャネルのマッピングが第１のマッピングであり、かつ、第１の制御チャネルがマップされる第１のリソースと第２の制御チャネルがマップされる第２のリソースの少なくとも一部が重複し、第１の参照信号のための第１のアンテナポートと第２の制御チャネルのための第２のアンテナポートが対応している場合に、第１の参照信号と第２の制御チャネルが同一の物理的特徴を備えてもよい。
【０１３１】
また、例えば、第１の制御チャネルおよび第２の制御チャネルのマッピングが第２のマッピングであり、かつ、第１の制御チャネルがマップされる第１のリソースと第２の制御チャネルがマップされる第２のリソースの少なくとも一部が重複し、第１の参照信号のための第１のアンテナポートと第２の制御チャネルのための第２のアンテナポートが対応している場合に、第１の参照信号と第２の制御チャネルが異なる物理的特徴を備えてもよい。
【０１３２】
また、例えば、第１の制御チャネルのマッピングが第１のマッピングであり、かつ、第２の制御チャネルのマッピングが第２のマッピングであり、かつ、第１の制御チャネルがマップされる第１のリソースと第２の制御チャネルがマップされる第２のリソースの少なくとも一部が重複し、第１の参照信号のための第１のアンテナポートと第２の制御チャネルのための第２のアンテナポートが対応している場合に、第１の参照信号と第２の制御チャネルが異なる物理的特徴を備えてもよい。
【０１３３】
また、少なくとも、第１の制御チャネルおよび第２の制御チャネルのマッピングが第１のマッピングであり、かつ、第１の制御チャネルがマップされる第１のリソースと、第２の制御チャネルがマップされる第２のリソースが重複せず、第１の参照信号のための第１のアンテナポートと、第２の制御チャネルのための第２のアンテナポートが対応している場合に、第１の参照信号と第２の制御チャネルが異なる物理的特徴を備えてもよい。
【０１３４】
また、少なくとも、第１の制御チャネルおよび第２の制御チャネルのマッピングが第１のマッピングであり、かつ、第１の制御チャネルがマップされる第１のリソースと、第２の制御チャネルがマップされる第２のリソースが重複し、第１の参照信号のための第１のアンテナポートと、第２の制御チャネルのための第２のアンテナポートが対応していない場合に、第１の参照信号と第２の制御チャネルが異なる物理的特徴を備えてもよい。
【０１３５】
例えば、第１の制御チャネルおよび第２の制御チャネルのマッピングが第１のマッピングであり、かつ、第１の参照信号を含む所定の範囲に第２の制御チャネルが含まれる場合に、第１の参照信号と第２の制御チャネルが同一の物理的特徴を備えてもよい。
【０１３６】
例えば、第１の制御チャネルおよび第２の制御チャネルのマッピングが第２のマッピングであり、かつ、第１の参照信号を含む所定の範囲に第２の制御チャネルが含まれる場合に、第１の参照信号と第２の制御チャネルが異なる物理的特徴を備えてもよい。
【０１３７】
例えば、第１の制御チャネルがマップされる第１のリソースと第２の制御チャネルがマップされる第２のリソースの少なくとも一部が重複し、かつ、第１の参照信号を含む所定の範囲に第２の制御チャネルが含まれる場合に、第１の参照信号と第２の制御チャネルが同一の物理的特徴を備えてもよい。
【０１３８】
ここで、第１の参照信号と第２の制御チャネルが同一の物理的特徴を備えるか否かは、第１のＲＲＣシグナリングに少なくとも基づき与えられてもよい。
【０１３９】
また、第１の制御チャネルのマッピングは、第１のＲＲＣシグナリングに少なくとも基づき与えられてもよい。また、第２の制御チャネルのマッピングは、第２のＲＲＣシグナリングに少なくとも基づき与えられてもよい。また、第１の制御チャネルのマッピングと第２の制御チャネルのマッピングは、第３のＲＲＣシグナリングに少なくとも基づき与えられてもよい。
【０１４０】
また、第１の制御チャネルがマップされる第１のリソースの割り当て情報は、第１のＲＲＣシグナリングに少なくとも基づき与えられてもよい。また、第２の制御チャネルがマップされる第２のリソースの割り当て情報は、第２のＲＲＣシグナリングに少なくとも基づき与えられてもよい。また、第１の制御チャネルがマップされる第１のリソースの割り当て情報と第２の制御チャネルがマップされる第２のリソースの割り当て情報は、第３のＲＲＣシグナリングに少なくとも基づき与えられてもよい。
【０１４１】
また、第１の参照信号のための第１のアンテナポートのインデックスは、第１のＲＲＣシグナリングに少なくとも基づき与えられてもよい。また、第２の制御チャネルのための第２のアンテナポートのインデックスは、第２のＲＲＣシグナリングに少なくとも基づき与えられてもよい。また、第１の参照信号のための第１のアンテナポートのインデックスと第２の参照信号のための第２のアンテナポートのインデックスは、第３のＲＲＣシグナリングに少なくとも基づき与えられてもよい。
【０１４２】
第１の参照信号を含む所定の範囲は、第１のＲＲＣシグナリングに少なくともに基づき与えられてもよい。
【０１４３】
ここで、第１の参照信号と第２の制御チャネルが同一の物理的特徴を備えるか否かは、第１の下りリンク制御情報に少なくとも基づき与えられてもよい。
【０１４４】
また、第１の制御チャネルのマッピングは、第１の下りリンク制御情報に少なくとも基づき与えられてもよい。また、第２の制御チャネルのマッピングは、第２の下りリンク制御情報に少なくとも基づき与えられてもよい。また、第１の制御チャネルのマッピングと第２の制御チャネルのマッピングは、第３の下りリンク制御情報に少なくとも基づき与えられてもよい。
【０１４５】
また、第１の制御チャネルがマップされる第１のリソースの割り当て情報は、第１の下りリンク制御情報に少なくとも基づき与えられてもよい。また、第２の制御チャネルがマップされる第２のリソースの割り当て情報は、第２の下りリンク制御情報に少なくとも基づき与えられてもよい。また、第１の制御チャネルがマップされる第１のリソースの割り当て情報と第２の制御チャネルがマップされる第２のリソースの割り当て情報は、第３の下りリンク制御情報に少なくとも基づき与えられてもよい。
【０１４６】
また、第１の参照信号のための第１のアンテナポートのインデックスは、第１の下りリンク制御情報に少なくとも基づき与えられてもよい。また、第２の制御チャネルのための第２のアンテナポートのインデックスは、第２の下りリンク制御情報に少なくとも基づき与えられてもよい。また、第１の参照信号のための第１のアンテナポートのインデックスと第２の参照信号のための第２のアンテナポートのインデックスは、第３の下りリンク制御情報に少なくとも基づき与えられてもよい。
【０１４７】
第１の参照信号を含む所定の範囲は、第１の下りリンク制御情報に少なくともに基づき与えられてもよい。
【０１４８】
ここで、第１の下りリンク制御情報は、端末装置１を含む端末装置のグループのために用いられる情報を含んでもよい。また、第１の下りリンク制御情報は、所定のセルにおいて報知される情報を含んでもよい。また、第２の下りリンク制御情報は、端末装置１を含む端末装置のグループのために用いられる情報を含んでもよい。また、第２の下りリンク制御情報は、所定のセルにおいて報知される情報を含んでもよい。また、第３の下りリンク制御情報は、端末装置１を含む端末装置のグループのために用いられる情報を含んでもよい。また、第３の下りリンク制御情報は、所定のセルにおいて報知される情報を含んでもよい。
【０１４９】
また、第１の参照信号と第２の制御チャネルが同一の物理的特徴を備えるか否かは、第１の制御チャネルに付加されるＣＲＣをマスクする第６の系列、および／または、第２の制御チャネルに付加されるＣＲＣをマスクする第７の系列に少なくとも基づき与えられてもよい。例えば、該第６の系列と該第７の系列が同一である場合に、第１の参照信号と第２の制御チャネルが同一の物理的特徴を備えてもよい。また、該第６の系列と該第７の系列が対応している場合に、第１の参照信号と第２の制御チャネルが同一の物理的特徴を備えてもよい。また、該第６の系列と該第７の系列が異なる場合に、第１の参照信号と第２の制御チャネルが異なる物理的特徴を備えてもよい。また、該第６の系列と該第７の系列が対応しない場合に、第１の参照信号と第２の制御チャネルが異なる物理的特徴を備えてもよい。該第６の系列は、第１の制御チャネルに付加させるＣＲＣをマスクする系列であってもよい。また、該第７の系列は、第２の制御チャネルに付加されるＣＲＣをマスクする系列であってもよい。
【０１５０】
また、該第６の系列と該第７の系列が所定の系列である場合に、第１の参照信号と第２の制御チャネルが同一の物理的特徴を備えてもよい。また、該第６の系列と該第７の系列が所定の系列とは異なる場合に、第１の参照信号と第２の制御チャネルが異なる物理的特徴を備えてもよい。また、該第６の系列が所定の系列であり、該第７の系列が所定の系列とは異なる場合に、第１の参照信号と第２の制御チャネルが異なる物理的特徴を備えてもよい。ここで、該所定の系列は、セルに共通な系列であってもよい。また、該所定の系列は、端末装置１を含む端末装置のグループに共通に用いられる系列であってもよい。また、所定の系列は、ＲＡ−ＲＮＴＩであってもよい。また、所定の系列は、Ｔｅｍｐｏｒａｒｙ−Ｃ−ＲＮＴＩであってもよい。
【０１５１】
また、第１の制御チャネルのマッピングが第１のマッピングであるか第２のマッピングであるかは、該第６の系列が所定の系列であるか否かに少なくとも基づき与えられてもよい。また、第２の制御チャネルのマッピングが第１のマッピングであるか第２のマッピングであるかは、該第７の系列が所定の系列であるか否かに少なくとも基づき与えられてもよい。
【０１５２】
また、第１の制御チャネルのマッピングが第１のマッピングであるか第２のマッピングであるかは、第１の制御チャネルを含む制御リソースセットに少なくとも基づき与えられてもよい。例えば、第１の制御チャネルを含む制御リソースセットがＵＳＳに対応する場合に、第１の制御チャネルのマッピングは第１のマッピングであってもよい。また、第１の制御チャネルを含む制御リソースセットがＣＳＳに対応する場合に、第１の制御チャネルのマッピングは第２のマッピングであってもよい。また、第２の制御チャネルを含む制御リソースセットがＵＳＳに対応する場合に、第２の制御チャネルのマッピングは第１のマッピングであってもよい。また、第２の制御チャネルを含む制御リソースセットがＣＳＳに対応する場合に、第２の制御チャネルのマッピングは第２のマッピングであってもよい。
【０１５３】
第１の参照信号と第２の制御チャネルのアンテナポートが対応しているか否かは、要素Ｂ１から要素Ｂ４の一部、または、全部に少なくとも基づき与えられてもよい。（Ｂ１）第１の制御チャネルおよび第２の制御チャネルのマッピングの設定（Ｂ２）第１の制御チャネルがマップされる第１のリソースと、第２の制御チャネルがマップされる第２のリソースの少なくとも一部が重複するか否か（Ｂ３）第１の制御チャネルのために設定される第１の集約レベルと、第２の制御チャネルのために設定される第２の集約レベルとが対応しているか否か（Ｂ４）第１の参照信号を含む所定の範囲に第２の制御チャネルの少なくとも一部が含まれるか否か
【０１５４】
例えば、第１の制御チャネルおよび第２の制御チャネルのマッピングが第１のマッピングである場合に、第１の参照信号と第２の制御チャネルのアンテナポートが対応してもよい。また、第１の制御チャネルおよび第２の制御チャネルのマッピングが第２のマッピングである場合に、第１の参照信号と第２の制御チャネルのアンテナポートが対応しなくてもよい。また、第１の制御チャネルのマッピングが第１のマッピングであり、第２の制御チャネルのマッピングが第２のマッピングである場合に、第１の参照信号と第２の制御チャネルのアンテナポートが対応しなくてもよい。
【０１５５】
例えば、第１の制御チャネルがマップされる第１のリソースと、第２の制御チャネルがマップされる第２のリソースの少なくとも一部が重複する場合に、第１の参照信号と第２の制御チャネルのアンテナポートが対応してもよい。また、第１の制御チャネルがマップされる第１のリソースと、第２の制御チャネルがマップされる第２のリソースが重複しない場合に、第１の参照信号と第２の制御チャネルのアンテナポートが対応しなくてもよい。
【０１５６】
例えば、第１の制御チャネルのために設定される第１の集約レベルと、第２の制御チャネルのために設定される第２の集約レベルとが対応する場合に、第１の参照信号と第２の制御チャネルのアンテナポートが対応してもよい。また、第１の制御チャネルのために設定される第１の集約レベルと、第２の制御チャネルのために設定される第２の集約レベルとが対応しない場合に、第１の参照信号と第２の制御チャネルのアンテナポートが対応しなくてもよい。
【０１５７】
例えば、第１の参照信号を含む所定の範囲に第２の制御チャネルの少なくとも一部が含まれる場合に、第１の参照信号と第２の制御チャネルのアンテナポートが対応してもよい。また、第１の参照信号を含む所定の範囲に第２の制御チャネルが含まれない場合に、第１の参照信号と第２の制御チャネルのアンテナポートが対応しなくてもよい。
【０１５８】
例えば、第１の制御チャネルおよび第２の制御チャネルのマッピングが第１のマッピングであり、かつ、第１の制御チャネルがマップされる第１のリソースと、第２の制御チャネルがマップされる第２のリソースの少なくとも一部が重複する場合に、第１の参照信号と第２の制御チャネルのアンテナポートが対応してもよい。
【０１５９】
例えば、第１の制御チャネルおよび第２の制御チャネルのマッピングが第１のマッピングであり、かつ、第１の制御チャネルのために設定される第１の集約レベルと第２の制御チャネルのために設定される第２の集約レベルとが対応する場合に、第１の参照信号と第２の制御チャネルのアンテナポートが対応してもよい。
【０１６０】
例えば、第１の制御チャネルがマップされる第１のリソースと、第２の制御チャネルがマップされる第２のリソースの少なくとも一部が重複し、かつ、第１の制御チャネルのために設定される第１の集約レベルと第２の制御チャネルのために設定される第２の集約レベルとが対応する場合に、第１の参照信号と第２の制御チャネルのアンテナポートが対応してもよい。
【０１６１】
例えば、第１の制御チャネルおよび第２の制御チャネルのマッピングが第１のマッピングであり、かつ、第１の参照信号を含む所定の範囲に第２の制御チャネルが含まれる場合に、第１の参照信号と第２の制御チャネルのアンテナポートが対応してもよい。
【０１６２】
例えば、第１の制御チャネルがマップされる第１のリソースと第２の制御チャネルがマップされる第２のリソースの少なくとも一部が重複し、かつ、第１の参照信号を含む所定の範囲に第２の制御チャネルが含まれる場合に、第１の参照信号と第２の制御チャネルのアンテナポートが対応してもよい。
【０１６３】
例えば、第１の参照信号と第２の制御チャネルの物理的特徴が同一である場合、第１の制御チャネルを構成するＲＥＧに含まれるリソースエレメントの数と、第２の制御チャネルを構成するＲＥＧに含まれるリソースエレメントの数が異なってもよい。また、第１の参照信号と第２の制御チャネルの物理的特徴が異なる場合、第１の制御チャネルを構成するＲＥＧに含まれるリソースエレメントの数と、第２の制御チャネルを構成するＲＥＧに含まれるリソースエレメントの数が同一であってもよい。
【０１６４】
例えば、第１の参照信号と第２の制御チャネルのアンテナポートが同一である場合、第１の制御チャネルを構成するＲＥＧに含まれるリソースエレメントの数と、第２の制御チャネルを構成するＲＥＧに含まれるリソースエレメントの数が異なってもよい。また、第１の参照信号と第２の制御チャネルのアンテナポートが異なる場合、第１の制御チャネルを構成するＲＥＧに含まれるリソースエレメントの数と、第２の制御チャネルを構成するＲＥＧに含まれるリソースエレメントの数が同一であってもよい。
【０１６５】
以下、本実施形態に係る端末装置１の装置構成について説明する。
【０１６６】
図１６は、本実施形態の一態様に係る端末装置１の構成例を示す概略ブロック図である。図示されるように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【０１６７】
上位層処理部１０１は、ユーザーの操作等により生成された上りリンクデータを、送信部１０７に出力する。また、上位層処理部１０１は、媒体アクセス制御（ＭＡＣ：  Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：  ＰＤＣＰ）層、無線リンク制御（Ｒａｄｉｏ  Ｌｉｎｋ  Ｃｏｎｔｒｏｌ：  ＲＬＣ）層、無線リソース制御（Ｒａｄｉｏ  Ｒｅｓｏｕｒｃｅ  Ｃｏｎｔｒｏｌ：  ＲＲＣ）層の処理を行なう。また、上位層処理部１０１は制御チャネルで受信された下りリンク制御情報などに基づき、受信部１０５、および送信部１０７の制御を行なうために制御情報を生成し、制御部１０３に出力する。なお、媒体アクセス制御層の処理の一部は、制御部１０３において実施されてもよい。
【０１６８】
上位層処理部１０１が備える無線リソース制御部１０１１は、自装置の各種設定情報の管理を行なう。また、無線リソース制御部１０１１は、上りリンクの各チャネルに配置される情報を生成し、送信部１０７に出力する。
【０１６９】
スケジューリング部１０１３は、受信部１０５を介して受信した下りリンク制御情報を記憶する。スケジューリング部１０１３は、受信された上りリンクグラントに従って共有チャネルを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。ここで、グラントは、共有チャネルに割り当てられるリソースを指示する情報であってもよい。
【０１７０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１７１】
制御部１０３は、媒体アクセス制御層の処理の一部（例えば、再送の指示等）を行う機能を備えてもよい。制御部１０３は、上位層処理部１０１に含まれる機能であってもよい。
【０１７２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１７３】
無線受信部１０５７は、送受信アンテナ１０９を介して受信した下りリンクの信号を復調し、復調されたアナログ信号をディジタル信号に変換する。例えば、無線受信部１０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出してもよい。
【０１７４】
多重分離部１０５５は、抽出した信号を制御チャネル（または、制御リソースセット）、共有チャネル、および、参照信号に、それぞれ分離する。多重分離部１０５５は、分離した参照信号をチャネル測定部１０５９、および／または、多重分離部１０５５に出力する。
【０１７５】
多重分離部１０５５は、制御チャネル、および／または、共有チャネルのチャネル等化（Ｃｈａｎｎｅｌ  Ｅｑｕａｌｉｚａｔｉｏｎ）を行う。ここで、制御チャネル、および／または、共有チャネルと、どの参照信号が対応しているかは、要素Ａ１からＡ５、または、要素Ｂ１からＢ４の一部、または、全部に基づき与えられてもよい。チャネル等化後の制御チャネル、および／または、共有チャネルは、復調部１０５３に出力される。
【０１７６】
復調部１０５３は、制御チャネル、および、共有チャネルに対して、ＢＰＳＫ、ＱＰＳＫ、１６ＱＡＭ、６４ＱＡＭ等の変調方式に対する復調を行ない、復号化部１０５１へ出力する。
【０１７７】
復号化部１０５１は、下りリンクデータの復号を行い、復号した下りリンクデータを上位層処理部１０１へ出力する。
【０１７８】
送信部１０７は、制御部１０３から入力された制御信号に従って、上りリンク参照信号を生成し、上位層処理部１０１から入力された上りリンクデータや上りリンク制御情報を符号化および変調し、共有チャネル、制御チャネル、参照信号を多重し、送受信アンテナ１０９を介して基地局装置３に送信する。
【０１７９】
符号化部１０７１は、上位層処理部１０１から入力された制御情報と上りリンクデータを符号化して符号化ビットを生成し、符号化ビットを共有チャネル生成部１０７３、および／または、制御チャネル生成部１０７５に出力する。
【０１８０】
共有チャネル生成部１０７３は、符号化部１０７１から入力された符号化ビットを変調して変調シンボルを生成し、変調シンボルを少なくともＤＦＴすることによって共有チャネルを生成し、多重部１０７７へ出力してもよい。共有チャネル生成部１０７３は、符号化部１０７１から入力された符号化ビットを変調して共有チャネルを生成し、多重部１０７７へ出力してもよい。
【０１８１】
制御チャネル生成部１０７５は、符号化部１０７１から入力された符号化ビット、および／または、スケジューリングリクエストに基づいて、制御チャネルを生成し、多重部１０７７へ出力する。
【０１８２】
上りリンク参照信号生成部１０７１１は上りリンク参照信号を生成し、生成した上りリンク参照信号を多重部１０７７へ出力する。
【０１８３】
多重部１０７７は、制御部１０３から入力された制御信号に従って、共有チャネル生成部１０７３から入力された信号、および／または、制御チャネル生成部１０７５から入力された信号、および／または、上りリンク参照信号生成部１０７１１から入力された上りリンク参照信号を、送信アンテナポート毎に上りリンクのリソースに多重する。多重部１０７７は、多重された信号を無線送信部１０７９に出力する。
【０１８４】
無線送信部１０７９は、多重された信号に対して逆高速フーリエ変換（Ｉｎｖｅｒｓｅ  Ｆａｓｔ  Ｆｏｕｒｉｅｒ  Ｔｒａｎｓｆｏｒｍ：  ＩＦＦＴ）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート:  ｕｐ  ｃｏｎｖｅｒｔ）し、余分な周波数成分を除去し、電力増幅し、送受信アンテナ１０９に出力して送信する。
【０１８５】
以下、本実施形態に係る基地局装置３の装置構成について説明する。
【０１８６】
図１７は、本実施形態の一態様に係る基地局装置３の構成例を示す概略ブロック図である。図示されるように、基地局装置３は、上位層処理部３０１、制御部３０３、受信部３０５、送信部３０７、および、送受信アンテナ３０９の少なくとも１つを含んで構成される。また、上位層処理部３０１は、無線リソース制御部３０１１とスケジューリング部３０１３の少なくとも１つを含んで構成される。また、受信部３０５は、データ復調／復号部３０５１、制御情報復調／復号部３０５３、多重分離部３０５５、無線受信部３０５７とチャネル測定部３０５９の少なくとも１つを含んで構成される。また、送信部３０７は、符号化部３０７１、変調部３０７３、多重部３０７５、無線送信部３０７７と下りリンク参照信号生成部３０７９の少なくとも１つを含んで構成される。
【０１８７】
上位層処理部３０１は、媒体アクセス制御（ＭＡＣ：  Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：  ＰＤＣＰ）層、無線リンク制御（Ｒａｄｉｏ  Ｌｉｎｋ  Ｃｏｎｔｒｏｌ：  ＲＬＣ）層、無線リソース制御（Ｒａｄｉｏ  Ｒｅｓｏｕｒｃｅ  Ｃｏｎｔｒｏｌ：  ＲＲＣ）層の処理を行なう。また、上位層処理部３０１は、受信部３０５、および送信部３０７の制御を行なうために制御情報を生成し、制御部３０３に出力する。なお、媒体アクセス制御層の処理の一部は、制御部３０３において実施されてもよい。
【０１８８】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（ＭＡＣ  Ｃｏｎｔｒｏｌ  Ｅｌｅｍｅｎｔ）を生成し、又は上位ノードから取得し、スケジューリング部３０１３、または、制御部３０３に出力することができる。また、無線リソース制御部３０１１は、端末装置１各々の各種設定情報の管理をする。
【０１８９】
上位層処理部３０１が備えるスケジューリング部３０１３は、端末装置１に割り当てる共有チャネルや制御チャネルの無線リソースの管理を行う。スケジューリング部３０１３は、端末装置１に共有チャネルの無線リソースを割り当てた場合には、共有チャネルの無線リソースの割り当てを示す上りリンクグラントを生成し、生成した上りリンクグラントを送信部３０７へ出力する。
【０１９０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１９１】
制御部３０３は、媒体アクセス制御層の処理の一部（例えば、再送の指示等）を行う機能を備えてもよい。
【０１９２】
受信部３０５は、制御部３０３から入力された制御信号に従って、送受信アンテナ３０９を介して端末装置１から受信した受信信号を分離、復調、復号し、復号した情報を上位層処理部３０１に出力する。
【０１９３】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Ｆａｓｔ  Ｆｏｕｒｉｅｒ  Ｔｒａｎｓｆｏｒｍ：  ＦＦＴ）を行い、周波数領域の信号を抽出し多重分離部３０５５に出力する。
【０１９４】
多重分離部３０５５は、無線受信部３０５７から入力された信号を制御チャネル、共有チャネル、参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれてもよい。多重分離部３０５５は、チャネル測定部３０５９から入力された伝搬路の推定値から、制御チャネルと共有チャネルの伝搬路の補償を行なう。また、多重分離部３０５５は、分離した参照信号をチャネル測定部３０５９に出力する。
【０１９５】
多重分離部３０５５は、分離した制御チャネルと共有チャネルから、上りリンクデータを含む変調シンボルと上りリンク制御情報を含む変調シンボルを取得する。多重分離部３０５５は、共有チャネルの信号から取得した上りリンクデータを含む変調シンボルをデータ復調／復号部３０５１へ出力する。多重分離部３０５５は、制御チャネルまたは共有チャネルから取得した上りリンク制御情報を含む変調シンボルを制御情報復調／復号部３０５３へ出力する。
【０１９６】
チャネル測定部３０５９は、多重分離部３０５５から入力された上りリンク参照信号から伝搬路の推定値、チャネルの品質などを測定し、多重分離部３０５５および上位層処理部３０１に出力する。
【０１９７】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１９８】
制御情報復調／復号部３０５３は、多重分離部３０５５から入力された上りリンク制御情報を含む変調シンボルからＨＡＲＱ−ＡＣＫを復号する。制御情報復調／復号部３０５３は、復号した上りリンク制御情報を上位層処理部３０１、または、制御部３０３へ出力することができる。
【０１９９】
送信部３０７は、制御部３０３から入力された制御信号に従って、下りリンク参照信号を生成し、上位層処理部３０１から入力された下りリンク制御情報、下りリンクデータを符号化、および変調し、制御チャネル、制御リソースセット、共有チャネル、参照信号の一部、または、全部を多重して、送受信アンテナ３０９を介して端末装置１に信号を送信する。
【０２００】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。変調部３０７３は、変調シンボルに送信プリコーディングを適用してもよい。送信プレコーディングは、送信プレコードを含んでもよい。なお、送信プレコーディングとは、送信プレコーダが乗算される（適用される）ことであってもよい。送信プレコードは、ＤＦＴ（または、ＤＦＴ拡散であってもよい）を実施することであってもよい。
【０２０１】
下りリンク参照信号生成部３０７９は下りリンク参照信号を生成する。多重部３０７５は、各チャネルの変調シンボルと下りリンク参照信号を多重し、送信シンボルを生成する。
【０２０２】
多重部３０７５は、送信シンボルにプレコーダを適用してもよい。多重部３０７５が送信シンボルに適用するプレコーダは、下りリンク参照信号、および／または、変調シンボルに対して適用されてもよい。また、下りリンク参照信号に適用されるプレコーダと、変調シンボルに対して適用されるプレコーダは、同一であってもよいし、異なってもよい。
【０２０３】
プレコーダは、ビームを形成する方法の一つである。プレコーダは、１、または、複数の送信アンテナから送信される送信シンボルに適用される位相回転を、送信アンテナごとに与える演算子（ベクトル）である。複数の送信シンボルを同一の時間／周波数において多重する空間多重方式（ＳＤＭ：Ｓｐａｔｉａｌ  Ｄｉｖｉｓｉｏｎ  Ｍｕｌｔｉｐｌｅｘ）において、複数の送信シンボルのために少なくとも１つのベクトルが与えられるため、プレコーダは行列で表現されてもよい。
【０２０４】
プレコーダが適用される送信シンボルを受信する端末装置１は、該送信シンボルに適用されるプレコーダを知っている必要がある。つまり、基地局装置３は、端末装置１にプレコーダに関する情報（プレコーダ情報）を端末装置１に通知することが好適である。プレコーダを通知する方法は、少なくとも第１の通知方法と第２の通知方法を含む。
【０２０５】
プレコーダを通知する第１の方法は、量子化されたプレコーダをプレコーダのためのインデックスに関連させ、プレコーダのためのインデックスが通知される方法である。例えば、制御チャネルが分散的にマップされる場合、プレコーダを通知する方法は第１の方法であってもよい。また、第１の方法において、第１の制御チャネルと第１の参照信号のプレコーダは対応しなくてもよい。
【０２０６】
プレコーダを通知する第２の方法は、送信シンボルに適用されるプレコーダを、該送信シンボルが含まれるチャネルに対応する参照信号に適用する方法である。端末装置１は、該送信シンボルの復調のために、該参照信号を用いることにより、好適な復調が可能である。例えば、制御チャネルが局地的にマップされる場合、プレコーダを通知する方法は第２の方法であってもよい。
【０２０７】
端末装置１は、第１の参照信号と第２の参照信号に適用されるプレコーダが同一である場合、該第１の参照信号と該第２の参照信号を用いてチャネル推定のための精度を向上することができる。つまり、端末装置１は、第１の参照信号と第２の参照信号に適用されるプレコーダが同一であるか否かを知っていることが好適である。
【０２０８】
無線送信部３０７７は、多重された送信シンボルなどを逆高速フーリエ変換（Ｉｎｖｅｒｓｅ  Ｆａｓｔ  Ｆｏｕｒｉｅｒ  Ｔｒａｎｓｆｏｒｍ：  ＩＦＦＴ）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: ｕｐ  ｃｏｎｖｅｒｔ）し、余分な周波数成分を除去し、搬送波信号（Ｃａｒｒｉｅｒ  ｓｉｇｎａｌ，  Ｃａｒｒｉｅｒ，  ＲＦ  ｓｉｇｎａｌ等）を生成する。無線送信部３０７７は、搬送波信号に対して、電力増幅し、送受信アンテナ３０９に出力して送信する。
【０２０９】
以下、本実施形態の一態様に係る種々の装置の態様を説明する。
【０２１０】
（１）上記の目的を達成するために、本発明の態様は、以下のような手段を講じた。すなわち、本発明の第１の態様は、端末装置１であって、チャネルセットにおいて、少なくとも第１のチャネルと第２のチャネルを受信する受信部１０５と、前記第１のチャネルと前記第２のチャネルを復調する復調部１０５３と、を備え、前記チャネルセットに含まれる前記第１のチャネルと前記第２のチャネルに対して第１のマッピングか第２のマッピングが設定され、前記第１のチャネルは、第１の参照信号に対応し、前記第１のマッピングに対して、前記第１の参照信号と前記第２のチャネルは同一の物理的特徴を備え、前記第２のマッピングに対して、前記第１の参照信号と前記第２のチャネルは異なる物理的特徴を備える。
【０２１１】
（２）また、本発明の第１の態様において、前記第１のマッピングに対して、前記第１のチャネルのための第１のリソースと前記第２のチャネルのための第２のリソースが重複する場合に、前記第１の参照信号と前記第２のチャネルは同一の物理的特徴を備え、前記第１のリソースと前記第２のリソースが重複しない場合に、前記第１の参照信号と前記第２のチャネルは異なる物理的特徴を備える。
【０２１２】
（３）また、本発明の第１の態様において、前記第１のチャネルと前記第２のチャネルのマッピングが前記第１のマッピングであるか前記第２のマッピングであるかは、上位層の信号に少なくとも基づき与えられる。
【０２１３】
（４）また、本発明の第１の態様において、前記第１のチャネルと前記第２のチャネルのマッピングが前記第１のマッピングであるか前記第２のマッピングであるかは、前記チャネルセットに少なくとも基づき与えられ、前記チャネルセットが初期接続のために用いられる第３のチャネルを含む場合に、前記第１のチャネルと前記第２のチャネルのマッピングは前記第１のマッピングであり、前記チャネルセットが前記第３のチャネルを含まない場合に、前記第１のチャネルと前記第２のチャネルのマッピングは前記第２のマッピングである。
【０２１４】
（５）また、本発明の第１の態様において、前記物理的特徴は、プレコーダ、ビーム、受信強度（または、送信強度）、電波到来角度の一部、または、全部である。
【０２１５】
（６）また、本発明の第２の態様は、端末装置１であって、上位層の信号を受信する受信部１０５と、第１のチャネルの復号を試みる復号部と、を備え、時間領域において、前記第１のチャネルの物理的特徴の粒度（Ｇｒａｎｕｌａｒｉｔｙ）は、Xシンボルであるとみなし、前記Xの値は、前記上位層の信号によって与えられる。
【０２１６】
（７）また、本発明の第３の態様は、基地局装置３であって、第１のチャネルと第２のチャネルのマッピングを設定する設定部と、前記第１のチャネルと前記第２のチャネルを含むチャネルセットを送信する送信部３０７と、を備え、前記第１のチャネルと前記第２のチャネルに対して第１のマッピングか第２のマッピングが設定され、前記第１のチャネルは、第１の参照信号に対応し、前記第１のマッピングに対して、前記第１の参照信号と前記第２のチャネルは同一の物理的特徴を備え、前記第２のマッピングに対して、前記第１の参照信号と前記第２のチャネルは異なる物理的特徴を備える。
【０２１７】
（８）また、本発明の第３の態様において、前記第１のマッピングに対して、前記第１のチャネルのための第１のリソースと前記第２のチャネルのための第２のリソースが重複する場合に、前記第１の参照信号と前記第２のチャネルは同一の物理的特徴を備え、前記第１のリソースと前記第２のリソースが重複しない場合に、前記第１の参照信号と前記第２のチャネルは異なる物理的特徴を備える。
【０２１８】
（９）また、本発明の第３の態様において、前記第１のチャネルと前記第２のチャネルのマッピングが前記第１のマッピングであるか前記第２のマッピングであるかを示す情報は、上位層の信号に含まれる。
【０２１９】
（１０）また、本発明の第３の態様において、前記第１のチャネルと前記第２のチャネルのマッピングが前記第１のマッピングであるか前記第２のマッピングであるかは、前記チャネルセットに少なくとも基づき設定され、前記チャネルセットが初期接続のために用いられる第３のチャネルを含む場合に、前記第１のチャネルと前記第２のチャネルのマッピングは前記第１のマッピングに設定され、前記チャネルセットが前記第３のチャネルを含まない場合に、前記第１のチャネルと前記第２のチャネルのマッピングは前記第２のマッピングに設定される。
【０２２０】
（１１）また、本発明の第３の態様において、前記物理的特徴は、プレコーダ、ビーム、受信強度（または、送信強度）、電波到来角度の一部、または、全部である。
【０２２１】
（１２）また、本発明の第４の態様は、基地局装置３であって、上位層の信号を送信する送信部３０７を備え、前記送信部３０７は、第１のチャネルを送信し、時間領域において、前記第１のチャネルの物理的特徴の粒度（Ｇｒａｎｕｌａｒｉｔｙ）は、Ｘシンボルに設定され、前記Ｘの値は、前記上位層の信号に含まれる。
【０２２２】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２２３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２２４】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２２５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２２６】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２２７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２２８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２２９】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２３０】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２３１】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２３２】
１（１Ａ、１Ｂ、１Ｃ）  端末装置
３  基地局装置
１０１、３０１  上位層処理部
１０３、３０３  制御部
１０５、３０５  受信部
１０７、３０７  送信部
１０９、３０９  送受信アンテナ
１０１１、３０１１  無線リソース制御部
１０１３、３０１３  スケジューリング部
１０５１  復号化部
１０５３  復調部
１０５５、３０５５  多重分離部
１０５７、３０５７  無線受信部
１０５９、３０５９  チャネル測定部
１０７１、３０７１  符号化部
１０７３  共有チャネル生成部
１０７５  制御チャネル生成部
１０７７、３０７５  多重部
１０７９、３０７７  無線送信部
１０７１１上りリンク参照信号生成部
３０５１  データ復調／復号部
３０５３  制御情報復調／復号部
３０７３  変調部
３０７９  下りリンク参照信号生成部
９００１、９００２、９００３、９００４、９００５、９１０１、９１０２、９１０３、９１０４、９１０５、９１０６、９１０７、９１０８  制御チャネル
【図１】
2018124178.tif 000003
【図２】
2018124178.tif 000004
【図３】
2018124178.tif 000005
【図４】
2018124178.tif 000006
【図５】
2018124178.tif 000007
【図６】
2018124178.tif 000008
【図７】
2018124178.tif 000009
【図８】
2018124178.tif 000010
【図９】
2018124178.tif 000011
【図１０】
2018124178.tif 000012
【図１１】
2018124178.tif 000013
【図１２】
2018124178.tif 000014
【図１３】
2018124178.tif 000015
【図１４】
2018124178.tif 000016
【図１５】
2018124178.tif 000017
【図１６】
2018124178.tif 000018
【図１７】
2018124178.tif 000019
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
制御リソースセットにおける制御チャネルをモニタする受信部と、
前記制御チャネルに含まれる下りリンク制御情報における上りリンクグラントに基づいて共用チャネルを送信する送信部と、
を備え、
前記制御リソースセットに対する直交周波数分割多重シンボル数は、上位層の信号によって与えられ、
前記制御チャネルに対するプレコーダグラニュアリティは、前記制御リソースセットに対する直交周波数分割多重シンボル数と同じである、
端末装置。
【請求項２】
制御リソースセットにおける制御チャネルを送信する送信部と、
前記制御チャネルに含まれる下りリンク制御情報における上りリンクグラントに基づいて共用チャネルを受信する受信部と、
を備え、
前記制御リソースセットに対する直交周波数分割多重シンボル数は、上位層の信号によって与えられ、
前記制御チャネルに対するプレコーダグラニュアリティは、前記制御リソースセットに対する直交周波数分割多重シンボル数と同じである、
基地局装置。
【請求項３】
端末装置に用いられる通信方法であって、前記端末装置のコンピュータが、
制御リソースセットにおける制御チャネルをモニタする受信過程と、
前記制御チャネルに含まれる下りリンク制御情報における上りリンクグラントに基づいて共用チャネルを送信する送信過程と、
を有し、
前記制御リソースセットに対する直交周波数分割多重シンボル数は、上位層の信号によって与えられ、
前記制御チャネルに対するプレコーダグラニュアリティは、前記制御リソースセットに対する直交周波数分割多重シンボル数と同じである、
通信方法。
【請求項４】
基地局装置に用いられる通信方法であって、前記基地局装置のコンピュータが、
制御リソースセットにおける制御チャネルを送信する送信部と、
前記制御チャネルに含まれる下りリンク制御情報における上りリンクグラントに基づいて共用チャネルを受信する受信部と、
を備え、
前記制御リソースセットに対する直交周波数分割多重シンボル数は、上位層の信号によって与えられ、
前記制御チャネルに対するプレコーダグラニュアリティは、前記制御リソースセットに対する直交周波数分割多重シンボル数と同じである、
通信方法。
【国際調査報告】
2018124178.tif 000020
2018124178.tif 000021